(57)【特許請求の範囲】
【請求項１】
会員が利用する利用者端末と、電子チケット流通サーバと、電子チケット販売・配布サーバとがネットワークを介して接続された電子チケット管理・流通システムであって、
前記電子チケット流通サーバが、
会員ＩＤと、該会員ＩＤによって特定される会員に割り当てられているデータ領域を示すポインタとが登録された会員管理ＤＢと、
第１の利用者端末から会員ＩＤが送られ、電子チケットデータを含む保管依頼が送られてきたとき、前記電子チケットデータの正当性をチェックするために前記電子チケットデータのチケットＩＤを含んだ照会依頼を前記電子チケット販売・配布サーバに送信する第１の送信手段と、
該照会依頼に応答して前記電子チケット販売・配布サーバから照会ＯＫが返却された場合、前記電子チケットデータを一意に識別する管理ＩＤを生成する生成手段と、
会員毎のデータ領域を有し、前記生成された管理ＩＤと前記電子チケットデータとの対が、前記第１の利用者端末を利用している会員の会員ＩＤに割り当てられているデータ領域に格納手段により格納される電子チケット管理ＤＢと、
前記第１の利用者端末から譲渡する電子チケットデータの管理ＩＤおよび前記電子チケットデータの譲渡先会員の会員ＩＤを含む譲渡依頼が送られてきたとき、前記第１の利用者端末を利用している会員に割り当てられているデータ領域から前記管理ＩＤによって特定される電子チケットデータを検索する第１の検索手段と、備え、
該検索された電子チケットデータと前記管理ＩＤとの対は、前記会員管理ＤＢに登録されているポインタの内の、前記譲渡依頼に含まれている会員ＩＤと対応するポインタによって示されるデータ領域に前記格納手段により格納され、
第２の送信手段は、第２の利用者端末から会員ＩＤが送られ、前記第２の利用者端末から前記第２の利用者端末が前記データ領域から取得した前記管理ＩＤを含む受信依頼が送られてきたとき、前記第２の利用者端末を利用する会員の会員ＩＤに割り当てられているデータ領域に格納されている電子チケットデータの内、前記管理ＩＤと対になっている電子チケットデータを前記利用者端末へ送信し、
前記電子チケット販売・配布サーバが、
販売・配布した電子チケットデータのチケットＩＤが登録された販売・配布ＤＢと、
前記電子チケット流通サーバから照会依頼が送られてきたとき、前記照会依頼に含まれているチケットＩＤと同一のチケットＩＤが前記販売・配布ＤＢに登録されているか否かを検索する第２の検索手段と、
前記照会依頼に含まれているチケットＩＤと同一のチケットＩＤが前記販売・配布ＤＢに登録されていた場合に、前記電子チケット流通サーバに照会ＯＫを返信する第３の送信手段とを備えたことを特徴とする電子チケット管理・流通システム。
【請求項２】
請求項１記載の電子チケット管理・流通システムにおいて、
前記電子チケット管理ＤＢには、会員毎のデータ領域に加え、非会員用のデータ領域が設けられ、
前記電子チケット流通サーバが、譲渡する電子チケットデータの管理ＩＤを含む非会員用譲渡依頼を前記利用者端末から受け取ると、前記第１の検索手段は、前記利用者端末を利用している会員に割り当てられているデータ領域から前記管理ＩＤによって特定される電子チケットデータを検索し、
該検索された電子チケットデータと前記管理ＩＤとの対、および、前記管理ＩＤに対応付けられた一時ＩＤおよび一時パスワードが、前記電子チケット管理ＤＢに設けられている非会員用のデータ領域に前記格納手段により格納され、
前記第２の利用者端末から一時ＩＤおよび一時パスワードを含む認証情報が送られてきたとき、前記第１の検索手段は、前記一時ＩＤおよび前記一時パスワードに対応付けて管理されている管理ＩＤによって特定される電子チケットデータを前記非会員用のデータ領域から検索し、
前記第４の送信手段が、前記検索された電子チケットデータを前記利用者端末へ送信することを特徴とする電子チケット管理・流通システム。
【請求項３】
請求項１記載の電子チケット管理・流通システムにおいて、
第５の送信手段が、他会員への譲渡が行われた電子チケットデータのチケットＩＤと譲渡先の会員ＩＤとを含む流通履歴データを前記電子チケット販売・配布サーバに送信し、
前記電子チケット販売・配布サーバは、チケットＩＤに加え、該チケットＩＤによって特定される電子チケットデータの譲渡先になった会員の会員ＩＤが登録手段により登録される前記販売・配布履歴ＤＢを含み、
前記電子チケット販売・配布サーバが、前記電子チケット流通サーバから送られてきた流通履歴データのチケットＩＤと同一の前記販売・配布履歴ＤＢ内のチケットＩＤに対応する譲渡先の会員ＩＤを当該流通履歴データの譲渡先の会員ＩＤに更新する更新手段を備えたことを特徴とする電子チケット管理・流通システム。
【請求項４】
請求項１記載の電子チケット管理・流通システムにおいて、
第２の利用者端末から前記電子チケット流通サーバへ電子チケットデータの管理ＩＤを含む引出し依頼が送られてきたとき、前記第１の検索手段は、前記利用者端末を利用している会員に割り当てられているデータ領域から前記管理ＩＤによって特定される電子チケットデータを検索し、第６の送信手段は、前記検索された電子チケットデータを前記利用者端末へ送信することを特徴とする電子チケット管理・流通システム。
【請求項５】
請求項１記載の電子チケット管理・流通システムにおいて、
決済処理を行う決済サーバがネットワークに接続され、
前記電子チケット流通サーバの第７の送信手段は、前記第１の利用者端末から、譲渡する電子チケットデータの管理ＩＤおよび前記電子チケットデータの譲渡先会員の会員ＩＤを含む有償譲渡依頼が送られると、前記譲渡先会員の利用者端末に対して有償譲渡される電子チケットデータがあることを通知し、
前記電子チケット流通サーバの前記第１の検索手段は、前記決済サーバから前記譲渡先会員による入金が完了したことが通知されると、前記利用者端末を利用している会員に割り当てられているデータ領域から前記有償譲渡依頼中の前記管理ＩＤによって特定される電子チケットデータを検索し、
該検索された電子チケットデータと前記管理ＩＤとの対は、前記会員管理ＤＢに登録されているポインタの内の、前記譲渡依頼に含まれている会員ＩＤと対応するポインタによって示されるデータ領域に前記格納手段により格納されることを特徴とする電子チケット管理・流通システム。
【請求項６】
請求項１記載の電子チケット管理・流通システムにおいて、
電子チケットデータの出品者及び落札者の利用者端末に前記電子チケットデータが落札されたことを通知するマーケットプレースポータルと、電子チケットデータの落札者から決済サービス事業者に対して入金があったことを前記電子チケットの出品者の前記第１の利用者端末に通知する決済サーバとがネットワークに接続され、
前記電子チケット流通サーバは、
前記第１の利用者端末から会員ＩＤが送られ、落札された電子チケットデータを含む落札保管依頼が送られると、前記第１の送信手段が、前記電子チケットデータのチケットＩＤを含んだ照会依頼を前記電子チケット販売・配布サーバに送信し、該照会依頼に応答して前記電子チケット販売・配布サーバから照会ＯＫが返却されると、前記生成手段が、前記電子チケットデータを一意に識別する管理ＩＤを生成し、該生成された管理ＩＤと前記電子チケットデータとの対は前記利用者端末を利用している会員の会員ＩＤに割り当てられているデータ領域に前記格納手段により格納され、
利用者端末から落札者に譲渡する電子チケットデータのチケットＩＤと前記落札者の会員ＩＤとを含む落札譲渡依頼が送られると、第８の送信手段が、前記落札者の利用者端末に対して、前記チケットＩＤによって示される電子チケットデータがどのようなものであるのかを示す譲渡電子チケット情報を送信し、
前記譲渡電子チケット情報の送信先の利用者端末から受取依頼が送られてきたとき、前記第９の送信手段が、前記譲渡電子チケット情報に対応する電子チケットデータを前記利用者端末へ送信することを特徴とする電子チケット管理・流通システム。
【請求項７】
会員が利用する利用者端末と、電子チケット流通サーバと、販売・配布した電子チケットデータのチケットＩＤが登録された販売・配布ＤＢおよび前記電子チケット流通サーバから照会依頼が送られてきたとき、前記販売・配布ＤＢを検索し、前記照会依頼に含まれているチケットＩＤと同一のチケットＩＤが前記販売・配布ＤＢに登録されていることを条件にして、前記電子チケット流通サーバに照会ＯＫを返信する電子チケット販売・配布サーバとから構成される電子チケット管理・流通システムの構成要素である電子チケット流通サーバであって、
会員ＩＤと、該会員ＩＤによって特定される会員に割り当てられているデータ領域を示すポインタとが登録された会員管理ＤＢと、
第１の利用者端末から会員ＩＤが送られ、電子チケットデータを含む保管依頼が送られてきたとき、前記電子チケットデータの正当性をチェックするために前記電子チケットデータのチケットＩＤを含んだ照会依頼を前記電子チケット販売・配布サーバに送信する送信手段と、
該照会依頼に応答して前記電子チケット販売・配布サーバから照会ＯＫが返却された場合、前記電子チケットデータを一意に識別する管理ＩＤを生成する生成手段と、
会員毎のデータ領域を有し、前記生成された管理ＩＤと前記電子チケットデータとの対が、前記第１の利用者端末を利用している会員の会員ＩＤに割り当てられているデータ領域に格納手段により格納される電子チケット管理ＤＢと、
前記第１の利用者端末から譲渡する電子チケットデータの管理ＩＤおよび前記電子チケットデータの譲渡先会員の会員ＩＤを含む譲渡依頼が送られてきたとき、前記利用者端末を利用している会員に割り当てられているデータ領域から前記管理ＩＤに基づいて電子チケットデータを検索する検索手段と、備え、
該検索された電子チケットデータと前記管理ＩＤとの対は、前記会員管理ＤＢに登録されているポインタの内の、前記譲渡依頼に含まれている会員ＩＤと対応するポインタによって示されるデータ領域に前記格納手段により格納され、
第２の送信手段は、第２の利用者端末から会員ＩＤが送られ、前記第２の利用者端末から前記第２の利用者端末が前記データ領域から取得した前記管理ＩＤを含む受信依頼が送られてきたとき、前記第２の利用者端末を利用する会員の会員ＩＤに割り当てられているデータ領域に格納されている電子チケットデータの内、前記管理ＩＤと対になっている電子チケットデータを前記利用者端末へ送信することを特徴とする電子チケット流通サーバ。
【請求項８】
請求項７記載の電子チケット流通サーバにおいて、
利用者端末から電子チケットデータの管理ＩＤを含む引出し依頼が送られると、第２の検索手段が、前記利用者端末を利用している会員に割り当てられているデータ領域から前記管理ＩＤによって特定される電子チケットデータを検索し、第３の送信手段が、該検索された電子チケットデータを前記利用者端末に送信することを特徴とする電子チケット流通サーバ。
【発明の詳細な説明】
【技術分野】
【０００１】
本発明は、利用者が所有している電子チケットデータを、ネットワークを介して他者に譲渡、転売する技術に関する。
【背景技術】
【０００２】
従来、コンサート会場への入場、商品の購入、価格の割り引き等の或る一定のサービスを受ける場合、それらのサービスと引換え可能な権利情報が紙に印刷された紙チケットが一般に使用されている。また、近年においては、携帯電話やＩＣカードなどの携帯可能な小型の電子記録機器に、電子化した権利情報（電子チケットデータ）を記録した電子チケットが開発されている。電子チケットは、それに記録されている電子チケットデータをインターネット等のネットワークを介して転送することができるため、紙チケットに比べて容易に他者に譲渡、転売することができる。
【０００３】
図２９は、電子チケットを他者に転売する従来の電子チケット転売システムの構成例を示したブロック図である（例えば、特許文献１参照）。
【０００４】
同図に示すように、従来の電子チケット転売システムは、電子チケットの転売を希望する転売希望者の転売者端末２０１と、電子チケットの購入を希望する購入希望者の利用者端末２０２と、電子チケットの売買を仲介する事業者の事業者サーバ２０３と、それらを相互に接続するインターネット等のネットワーク２０４とから構成されている。
【０００５】
このような構成を有する従来の転売システムは、次のように動作する。
【０００６】
転売希望者は、自身の転売者端末２０１を用いて、事業者サーバ２０３にアクセスする。その後、転売者は、転売端末２０１から事業者サーバ２０３へ、転売する電子チケットに記録されている電子チケットデータを送る。事業者サーバ２０３は、転売者から電子チケットデータが送られてくると、それを電子チケット転売情報記憶部（図示せず）に登録する。
【０００７】
一方、電子チケットの購入を希望する購入希望者は、電子チケットを購入する場合、先ず、自身の利用者端末２０２を用いて事業者サーバ２０３にアクセスする。これにより、事業者サーバ２０３は、電子チケット転売情報記憶部に登録されている電子チケットのリストを利用者端末２０２へ送信する。
【０００８】
利用者端末２０２は、事業者サーバ２０３から送られてきた転売希望電子チケットのリストを表示し、購入希望者は、表示されたリストの中から購入する電子チケットを選択する。これにより、利用者端末２０２は、利用者が選択した電子チケットを示すチケット特定情報を含んだ電子チケット購入依頼を事業者サーバ２０３へ送信する。
【０００９】
事業者サーバ２０３は、利用者端末２０２から電子チケット購入依頼が送られてくると、購入依頼された電子チケットの電子チケットデータを電子チケット転売情報記憶部から読み出し、利用者端末２０２へ転送する。これにより、利用者端末２０２は、ＩＣカード等の携帯可能な電子記録機器（図示せず）に電子チケットデータを記録し、利用者は、この電子チケットデータが記録された電子記録機器を電子チケットとして使用する。
【特許文献１】特開２００３−５０８８９号公報
【発明の開示】
【発明が解決しようとする課題】
【００１０】
上述した従来の電子チケット転売システムによれば、電子チケットを容易に転売することはできるが、信頼性に問題があった。即ち、従来の電子チケット転売システムは、転売希望者から送られてきた電子チケットデータの真偽について何のチェックも行っていないため、偽造された電子チケットデータが転売される危険性があった。
【００１１】
そこで、本発明の目的は、偽造された電子チケットデータが譲渡、転売されることのない、信頼性の高い電子チケット管理・流通システムを提供することにある。
【課題を解決するための手段】
【００１２】
本発明にかかる第１の電子チケット管理・流通システムは、上記目的を達成するため、
会員が利用する利用者端末と、電子チケット流通サーバと、電子チケット販売・配布サーバとがネットワークを介して接続された電子チケット管理・流通システムであって、
前記電子チケット流通サーバが、
会員毎のデータ領域を有する電子チケット管理ＤＢと、
会員ＩＤと、該会員ＩＤによって特定される会員に割り当てられているデータ領域を示すポインタとが登録された会員管理ＤＢと、
利用者端末から電子チケットデータを含む保管依頼が送られてきたとき、前記電子チケットデータの正当性をチェックするために前記電子チケットデータのチケットＩＤを含んだ照会依頼を前記電子チケット販売・配布サーバに送信し、該照会依頼に応答して前記電子チケット販売・配布サーバから照会ＯＫが返却された場合、前記電子チケットデータを一意に識別する管理ＩＤを生成し、該生成した管理ＩＤと前記電子チケットデータとの対を前記利用者端末を利用している会員に割り当てられているデータ領域に格納する手段と、
利用者端末から譲渡する電子チケットデータの管理ＩＤおよび前記電子チケットデータの譲渡先会員の会員ＩＤを含む譲渡依頼が送られてきたとき、前記利用者端末を利用している会員に割り当てられているデータ領域から前記管理ＩＤによって特定される電子チケットデータを取り出し、該取り出した電子チケットデータと前記管理ＩＤとの対を、前記会員管理ＤＢに登録されているポインタの内の、前記譲渡依頼に含まれている会員ＩＤと対応するポインタによって示されるデータ領域に格納する手段と、
利用者端末から管理ＩＤを含む受信依頼が送られてきたとき、前記利用者端末を利用する会員に割り当てられているデータ領域に格納されている電子チケットデータの内、前記管理ＩＤと対になっている電子チケットデータを前記利用者端末へ送信し、該利用者端末に接続或いは一体化されている電子チケット端末に前記電子チケットデータを記録する手段とを備え、
前記電子チケット販売・配布サーバが、
販売・配布した電子チケットデータのチケットＩＤが登録された販売・配布ＤＢと、
前記電子チケット流通サーバから照会依頼が送られてきたとき、前記販売・配布ＤＢを検索し、前記照会依頼に含まれているチケットＩＤと同一のチケットＩＤが前記販売・配布ＤＢに登録されていることを条件にして、前記電子チケット流通サーバに照会ＯＫを返信する手段とを備えたことを特徴とする。
本発明にかかる第２の電子チケット管理・流通システムは、第１の電子チケット管理・流通システムにおいて、
前記電子チケット管理ＤＢには、会員毎のデータ領域に加え、非会員用のデータ領域が設けられ、
前記電子チケット流通サーバが、
利用者端末から、譲渡する電子チケットデータの管理ＩＤを含む非会員用譲渡依頼が送られてきたとき、前記利用者端末を利用している会員に割り当てられているデータ領域から前記管理ＩＤによって特定される電子チケットデータを取り出し、該取り出した電子チケットデータと前記管理ＩＤとの対を、前記電子チケット管理ＤＢに設けられている非会員用のデータ領域に格納すると共に、前記管理ＩＤに対応付けて一時ＩＤおよび一時パスワードを管理する手段と、
利用者端末から一時ＩＤおよび一時パスワードを含む認証情報が送られてきたとき、前記一時ＩＤおよび前記一時パスワードに対応付けて管理されている管理ＩＤによって特定される電子チケットデータを前記非会員用のデータ領域から取り出して前記利用者端末へ送信し、前記利用者端末に接続あるいは一体化されている電子チケット端末に前記電子チケットデータを記録する手段とを備えたことを特徴とする。
【００１３】
本発明にかかる第３の電子チケット管理・流通システムは、電子チケットの販売・配布事業者が電子チケットの最終所有者を認識できるようにするため、第１の電子チケット管理・流通システムにおいて、
前記電子チケット流通サーバが、他会員への譲渡が行われた電子チケットデータのチケットＩＤと譲渡先の会員ＩＤとを含む流通履歴データを前記電子チケット販売・配布サーバに送信する手段を備え、
前記販売・配布履歴ＤＢには、チケットＩＤに加え、該チケットＩＤによって特定される電子チケットデータの譲渡先になった会員の会員ＩＤとが登録され、
前記電子チケット販売・配布サーバが、前記電子チケット流通サーバから送られてきた流通履歴データに基づいて、前記販売・配布履歴ＤＢを更新する手段を備えたことを特徴とする。
【００１４】
本発明にかかる第４の電子チケット管理・流通システムは、電子チケット端末の紛失などによる電子チケットデータの消失を防ぐため、第１の電子チケット管理・流通システムにおいて、
前記電子チケット流通サーバが、
利用者端末から電子チケットデータの管理ＩＤを含む引出し依頼が送られてきたとき、前記利用者端末を利用している会員に割り当てられているデータ領域から前記管理ＩＤによって特定される電子チケットデータを取り出して前記利用者端末に送信し、前記利用者端末に接続或いは一体化されている電子チケット端末に前記電子チケットデータを記録する手段を備えたことを特徴とする。
【００１５】
本発明にかかる第５の電子チケット管理・流通システムは、電子チケットを利用する確度の高い利用者に電子チケットを譲渡できるようにするため、第１の電子チケット管理・流通システムにおいて、
前記電子チケット流通サーバを利用可能な会員のスケジュールを管理し、前記電子チケット流通サーバからＰＩＭ会員ＩＤを含んだスケジュール照会依頼が送られてきたとき、前記ＰＩＭ会員ＩＤによって特定される会員のスケジュールを前記電子チケット流通サーバへ返却するＰＩＭサーバを備え、且つ、
前記会員管理ＤＢには、会員ＩＤおよびポインタに加え、前記会員ＩＤによって示される会員を前記ＰＩＭサーバにおいて識別するためのＰＩＭ会員番号と、前記会員ＩＤによって示される会員によって指定されたグループメンバーの構成会員の会員ＩＤとが登録され、
前記電子チケット流通サーバが、
利用者端末から会員ＩＤおよび譲渡対象にする電子チケットデータのチケットＩＤを含んだＰＩＭ利用譲渡依頼が送られてきたとき、前記ＰＩＭ利用譲渡依頼に含まれている会員ＩＤに対応付けて登録されているグループメンバーの構成会員の会員ＩＤを前記会員管理ＤＢから検索し、更に、該検索したグループメンバーの構成会員の会員ＩＤに対応付けて登録されているＰＩＭ会員ＩＤを前記会員管理ＤＢから検索し、該検索したＰＩＭ会員ＩＤを含んだスケジュール照会依頼を前記ＰＩＭサーバへ送信する手段と、
前記スケジュール照会依頼に応答して前記ＰＩＭサーバから返却されたグループメンバーの構成会員のスケジュールに基づいて、電子チケットを利用する確度が高い会員を、前記グループメンバーの構成会員の中から所定数選択する手段を備えたことを特徴とする。
【００１６】
より具体的には、本発明にかかる第６の電子チケット管理・流通システムは、第５の電子チケット管理・流通システムにおいて、
グループメンバーの構成会員の中から電子チケットを利用する確度が高い会員を所定数選択する際、電子チケットの有効期間においてスケジュール無しとなっている日数が多い会員を優先的に選択することを特徴とする。
【００１７】
また、本発明にかかる第７の電子チケット管理・流通システムは、電子チケットを利用する確度が高い利用者に電子チケットを譲渡できるようにするため、第１の電子チケット管理・流通システムにおいて、
前記電子チケット流通サーバを利用可能な会員の位置情報を管理する位置情報サーバであって、前記電子チケット流通サーバから機器番号を含む位置照会依頼が送られてきたとき、前記機器番号によって特定される位置情報取得機器の位置情報を取得し、取得した位置情報を前記電子チケット流通サーバに返却する位置情報サーバを備え、且つ、
前記会員管理ＤＢには、会員ＩＤおよびポインタに加え、前記会員ＩＤによって特定される会員の位置を取得するために使用する位置情報取得機器の機器番号と、前記会員ＩＤによって示される会員によって指定されたグループメンバーの構成会員の会員ＩＤとが登録され、
前記電子チケット流通サーバが、
利用者端末から会員ＩＤおよび譲渡対象にする電子チケットデータのチケットＩＤを含んだ位置利用譲渡依頼が送られてきたとき、前記位置利用譲渡依頼に含まれている会員ＩＤに対応付けて登録されているグループメンバーの構成会員の会員ＩＤを前記会員管理ＤＢから検索し、更に、該検索したグループメンバーの構成会員の会員ＩＤに対応付けて登録されている機器番号を前記会員管理ＤＢから検索し、該検索した機器番号を含んだ位置照会依頼を前記位置情報サーバへ送信する手段と、
前記位置照会依頼に応答して前記位置情報サーバから返却されたグループメンバーの構成会員の位置情報に基づいて、電子チケットを利用する確度が高い会員を、前記グループメンバーの構成会員の中から所定数選択する手段とを備えたことを特徴とする。
【００１８】
より具体的には、本発明にかかる第８の電子チケット管理・流通システムは、第７の電子チケット管理・流通システムにおいて、
グループメンバーの構成会員の中から電子チケットを利用する確度が高い会員を所定数選択する際、位置情報によって示される位置が、前記電子チケットの利用場所に近い会員を優先的に選択することを特徴とする。
【００１９】
また、本発明にかかる第９の電子チケット管理・流通システムは、電子チケットを利用する確度が高い利用者に電子チケットを譲渡できるようにするため、第１の電子チケット管理・流通システムにおいて、
前記電子チケット流通サーバを利用可能な会員のスケジュールを管理し、前記電子チケット流通サーバからＰＩＭ会員ＩＤを含んだスケジュール照会依頼が送られてきたとき、前記ＰＩＭ会員ＩＤによって特定される会員のスケジュールを前記電子チケット流通サーバへ返却するＰＩＭサーバと、
前記電子チケット流通サーバを利用可能な会員の位置情報を管理する位置情報サーバであって、前記電子チケット流通サーバから機器番号を含む位置照会依頼が送られてきたとき、前記機器番号によって特定される位置情報取得機器の位置情報を取得し、取得した位置情報を前記電子チケット流通サーバに返却する位置情報サーバとを備え、且つ、
前記会員管理ＤＢが、会員ＩＤおよびポインタに加え、前記会員ＩＤによって示される会員を前記ＰＩＭサーバにおいて識別するためのＰＩＭ会員番号と、前記会員ＩＤによって特定される会員の位置を取得するために使用する位置情報取得機器の機器番号と、前記会員ＩＤによって示される会員によって指定されたグループメンバーの構成会員の会員ＩＤとが登録され、
前記電子チケット流通サーバが、
利用者端末から会員ＩＤおよび譲渡対象にする電子チケットデータのチケットＩＤを含んだ位置・ＰＩＭ利用譲渡依頼が送られてきたとき、前記位置・ＰＩＭ利用譲渡依頼に含まれている会員ＩＤに対応付けて登録されているグループメンバーの構成会員の会員ＩＤを前記会員管理ＤＢから検索し、更に、該検索したグループメンバーの構成会員の会員ＩＤに対応付けて登録されているＰＩＭ会員ＩＤを前記会員管理ＤＢから検索して該検索したＰＩＭ会員ＩＤを含んだスケジュール照会依頼を前記ＰＩＭサーバへ送信すると共に、前記検索したグループメンバーの構成会員の会員ＩＤに対応付けて登録されている機器番号を前記会員管理ＤＢから検索し、該検索した機器番号を含んだ位置照会依頼を前記位置情報サーバへ送信する手段と、
前記スケジュール照会依頼に応答して前記ＰＩＭサーバから返却されたグループメンバーの構成会員のスケジュールと、前記位置照会依頼に応答して前記位置情報サーバから返却されたグループメンバーの構成会員の位置情報とに基づいて、電子チケットを利用する確度が高い会員を、前記グループメンバーの構成会員の中から所定数選択する手段を備えたことを特徴とする。
【００２０】
より具体的には、本発明にかかる第１０の電子チケット管理・流通システムは、第９の電子チケット管理・流通システムにおいて、
前記グループメンバーの構成員の中から電子チケットを利用する確度が高い会員を選択する際、前記取得した位置情報が、前記電子チケットの利用期限までに利用場所に移動可能なことを示し、且つ前記取得したスケジュールが、現時点から電子チケットの有効期限までの間にスケジュールに空きがあることを示している会員を選択することを特徴とする。
【００２１】
また、本発明にかかる第１１の電子チケット管理・流通システムは、電子チケットの有償譲渡を行えるようにするため、第１の電子チケット管理・流通システムにおいて、
決済処理を行う決済サーバを備え、且つ、
前記電子チケット流通サーバが、
利用者端末から、譲渡する電子チケットデータの管理ＩＤおよび前記電子チケットデータの譲渡先会員の会員ＩＤを含む有償譲渡依頼が送られてきたとき、前記譲渡先会員の利用者端末に対して有償譲渡される電子チケットデータがあることを通知し、前記決済サーバから前記譲渡先会員による入金が完了したことが通知された後、前記利用者端末を利用している会員に割り当てられているデータ領域から前記有償譲渡依頼中の前記管理ＩＤによって特定される電子チケットデータを取り出し、該取り出した電子チケットデータと前記管理ＩＤとの対を、前記会員管理ＤＢに登録されているポインタの内の、前記譲渡依頼に含まれている会員ＩＤと対応するポインタによって示されるデータ領域に格納する手段とを備えたことを特徴とする。
【００２２】
また、本発明にかかる第１２の電子チケット管理・流通システムは、オークションで落札された電子チケットも扱えるようにするため、第１の電子チケット管理・流通システムにおいて、
電子チケットデータの出品者及び落札者の利用者端末に前記電子チケットデータが落札されたことを通知するマーケットプレースポータルと、
電子チケットデータの落札者から決済サービス事業者に対して入金があったことを前記電子チケットの出品者の利用者端末に通知する決済サーバとを備え、
前記電子チケット流通サーバが、
利用者端末から落札された電子チケットデータを含む落札保管依頼が送られてきたとき、前記電子チケットデータのチケットＩＤを含んだ照会依頼を前記電子チケット販売・配布サーバに送信し、該照会依頼に応答して前記電子チケット販売・配布サーバから照会ＯＫが返却された場合、前記電子チケットデータを一意に識別する管理ＩＤを生成し、該生成した管理ＩＤと前記電子チケットデータとの対を前記利用者端末を利用している会員に割り当てられているデータ領域に格納する手段と、
利用者端末から落札者に譲渡する電子チケットデータのチケットＩＤと前記落札者の会員ＩＤとを含む落札譲渡依頼が送られてきたとき、前記落札者の利用者端末に対して、前記チケットＩＤによって示される電子チケットデータがどのようなものであるのかを示す譲渡電子チケット情報を送信する手段と、
前記譲渡電子チケット情報の送信先の利用者端末から受取依頼が送られてきたとき、前記譲渡電子チケット情報に対応する電子チケットデータを前記利用者端末へ送信し、前記利用者端末に接続あるいは一体化されている電子チケット端末に前記電子チケットデータを記録する手段とを備えたことを特徴とする。
【発明の効果】
【００２３】
第１の効果は、偽造された電子チケットデータが譲渡、転売されることのない、信頼性の高い電子チケット管理・流通システムを提供できることである。その理由は、電子チケットデータのやりとりの際に、電子チケット流通サーバが常にチケット販売・配布サーバに、電子チケットデータの正当性を照会するようにしているからである。
【００２４】
第２の効果は、電子チケット端末の紛失などによる電子チケットデータの消失を防ぐことができることである。その理由は、電子チケットデータを電子チケット流通サーバ上で保管できるようにしているからである。
【００２５】
第３の効果は、電子チケット販売・配布事業者が、電子チケットの最終所有者の情報を取得できるということである。電子チケットの最終所有者の情報を取得することにより、例えば、詳細なマーケティングを行ったり、急なイベント中止などによる払い戻し作業を容易に行うことが可能になる。
【００２６】
第４の効果は、電子チケットを利用する確度の高い利用者に電子チケットを譲渡できるということである。その理由は、ＰＩＭサーバで管理されている会員のスケジュールや、位置情報サーバで管理されている会員の位置情報に基づいて、グループメンバーの中から電子チケットの譲渡候補とする会員を選択するようにしているからである。
【００２７】
第５の効果は、電子チケットの有償譲渡を行えることである。その理由は、決済サーバを備えているからである。
【００２８】
第６の効果は、オークションで落札された電子チケットも扱うことができることである。その理由は、決済サーバ及びマーケットプレースポータルを備えているからである。
【発明を実施するための最良の形態】
【００２９】
次に本発明の実施の形態について図面を参照して詳細に説明する。
【００３０】
〔第１の実施の形態の構成〕
図１は本発明にかかる電子チケット管理・流通システムの第１の実施の形態のブロック図である。同図を参照すると、本実施の形態の電子チケット管理・流通システムは、電子チケット流通サービス事業者１０の電子チケット流通サーバ１１、電子チケット管理データベース（ＤＢ）１２、流通履歴ＤＢ１３および会員管理ＤＢ１４と、利用者２０、３０の利用者端末２１、３１および電子チケット端末２２、３２と、電子チケット販売・配布事業者４０の電子チケット販売・配布サーバ４１および販売・配布履歴ＤＢ４２と、電子チケット流通ポータル事業者５０の電子チケット流通ポータル５１とから構成されている。そして、電子チケット流通サーバ１１、利用者端末２１、利用者端末３１、電子チケット販売・配布サーバ４１および電子チケット流通ポータル５１は、インターネット等のネットワーク１００を介して相互に接続されている。
【００３１】
電子チケット管理・流通サービスの提供者である電子チケット流通サービス事業者１０によって運用される電子チケット流通サーバ１１は、次のような機能を備えている。
【００３２】
・ネットワーク１００を介して利用者２０、３０と電子チケット管理・流通サービスについて利用契約を結び、利用契約を結んだ利用者（会員）の会員情報を会員管理ＤＢ１４に登録する機能。
・利用者端末２１、３１からの会員情報変更依頼に従って、会員管理ＤＢ１４に登録されている該当する会員情報を更新する機能。
・利用者端末２１、３１から電子チケットデータを含む保管依頼が送られてきたとき、電子チケット販売・配布サーバ４１を利用して、電子チケットデータの正当性をチェックし、正当なものである場合、電子チケット管理ＤＢ１２に登録する機能。
・利用者端末２１、３１から、譲渡する電子チケットを特定する情報および譲渡先の会員を特定する情報を含んだ会員用譲渡依頼が送られてきたとき、電子チケット管理ＤＢ１２に設けられている各会員毎のデータ領域の内の、依頼元の会員のデータ領域に登録されている該当する電子チケットデータを、譲渡先の会員のデータ領域に移動させる機能。
・利用者端末２１、３１から、譲渡する電子チケットを特定する情報を含んだ非会員用譲渡依頼が送られてきたとき、電子チケット管理ＤＢ１２に設けられている各会員毎のデータ領域の内の、依頼元の会員のデータ領域に登録されている該当する電子チケットデータを、非会員用のデータ領域に移動させる機能。
・利用者端末２１、３１から、電子チケットを特定する情報を含んだ引出し依頼が送られてきたとき、依頼元の会員のデータ領域に登録されている該当する電子チケットデータを依頼元の利用者端末へ送信する機能。
・利用者端末２１、３１から電子チケットを特定する情報を含んだ受信依頼が送られてきたとき、依頼元の会員のデータ領域に登録されている該当する電子チケットデータを依頼元の利用者端末へ送信する機能。
・会員用譲渡依頼に応じて、電子チケットデータを他者に譲渡したとき、流通履歴データを流通履歴ＤＢ１３に追加登録したり、流通履歴ＤＢ１３に登録されている該当する譲渡履歴データを更新する機能。
・流通履歴データを電子チケット販売・配布サーバ４１へ送信する機能。
【００３３】
図２は電子チケット管理ＤＢ１２の構成例を示した図であり、各会員に割り当てるデータ領域１２−１〜１２−ｎと、非会員用のデータ領域１２１とを有している。なお、本実施の形態では、１人の会員には、１つのデータ領域が割り当てられる。
【００３４】
データ領域１２−ｉ（１≦ｉ≦ｎ）は、図３に示すように、電子チケットデータとその電子チケットデータを一意に識別する管理ＩＤ（ユニークな並びの英数字など）との対を複数格納可能なサイズを有している。なお、本実施の形態においては、電子チケットデータは、チケットＩＤ（ユニークな並びの英数字など）、チケット名、サービス内容、利用可能期間、複製の可否、チケット販売者などを含むものとする。
【００３５】
図４は会員情報が登録される会員管理ＤＢ１４の内容例を示した図である。同図に示すように、会員情報は、会員を一意に識別するための会員ＩＤと、パスワードと、氏名と、連絡先（例えば、電子メールアドレス）と、会員に割り当てられているデータ領域へのポインタと、グループメンバー情報とを含んでいる。グループメンバーとは、利用者が電子チケットデータの譲渡先にする可能性がある、電子チケット管理・流通サービスの会員から構成されるコミュニティーであり、グループメンバー情報には、上記各会員の会員ＩＤと氏名との対が含まれている。
【００３６】
図４の例において、例えば、第１行目は、会員ＩＤ「ｉｄ１」の会員は、パスワードが「Ｐ１」、氏名が「ＸＸＸ」、連絡先が「ＺＺＺ」，データ領域へのポインタが「＃１」、グループメンバーの会員ＩＤと氏名との対が「ｉｄｊ（ＡＡＡ），…」であることを示している。
【００３７】
図５は流通履歴データが登録される流通履歴ＤＢ１３の内容例を示した図である。同図に示すように、流通履歴データは、流通履歴の管理対象にしている電子チケットデータを特定する管理ＩＤと、上記電子データチケットに含まれているチケットＩＤと、上記電子チケットデータの譲渡先となった会員（被譲渡者）の会員ＩＤと、流通履歴データの保存期限とを含んでいる。保存期限には、例えば、電子チケットデータの有効期限と同じ日付、あるいは電子チケットデータの有効期限よりも所定期間後の日付が格納される。なお、本実施の形態では、項目「被譲渡者」に会員ＩＤのみを設定するようにしたが、その会員に関する他の情報（氏名、連絡先など）も設定するようにしても良い。
【００３８】
図５の例において、例えば、第１行目の流通履歴データは、管理ＩＤ「ＩＤ１」によって特定される電子チケットデータは、チケットＩＤ「ＴＩＤ１」を含み、会員ＩＤ「ｉｄｘ」の会員に譲渡されたことを示している。また、この流通履歴データは、保存期限の項目に設定されている「Ａ月Ｂ日」まで保存され、その後、削除される。
【００３９】
電子チケット管理・流通サービスを利用する利用者２０、３０の利用者端末２１、３１は、携帯電話やパーソナルコンピュータや車載端末等のブラウザ機能を有するインターネットに接続可能な情報端末によって実現される。この利用者端末２１、３１は、会員登録情報や、会員情報更新依頼、電子チケットデータの保管依頼、電子チケットデータの譲渡依頼、電子チケットデータの引出し依頼、電子チケットデータの受信依頼などの各種依頼を、ネットワーク１００を介して電子チケット流通サーバ１１へ送信する機能や、引出し依頼や受信依頼に応答して電子チケット流通サーバ１１から送られてくる電子チケットデータを電子チケット端末２２、３２に記録する機能や、電子チケット端末２２、３２に記録されている電子チケットデータを読み込む機能などを有する。
【００４０】
電子チケット端末２２、３２は、携帯電話やＩＣカードなどの携帯可能な小型の電子記録機器によって実現される。電子チケット端末２２、３２は、インターネットや無線や赤外線や専用リーダーなどで利用者端末２１、３１と接続され、保持している電子チケットデータを利用者端末２１、３１に渡したり、利用者端末２１、３１から渡された電子チケットデータを保持する機能を有する。なお、電子チケット端末２２、３２は、利用者端末２１、３１と一体化されていても良い。
【００４１】
電子チケットの販売、配布元である電子チケット販売・配布事業者４０が運用している電子チケット販売・配布サーバ４１は、電子チケット流通サーバ１１から流通履歴データが送られてきたとき、送られてきた流通履歴データに従って、販売・配布履歴ＤＢ４２に格納されている該当する販売・配布履歴データを更新する機能や、電子チケット流通サーバ１１から照会された電子チケットデータの正当性をチェックする機能を有する。
【００４２】
図６は販売・配布履歴ＤＢ４２の内容例を示した図である。同図に示すように、販売・配布履歴ＤＢ４２には、販売・配布履歴の管理対象にしている電子チケットデータのチケットＩＤと、その電子チケットデータの譲渡先となった会員（被譲渡者）の会員ＩＤと、保存期間とからなる販売・配布履歴データが格納されている。
【００４３】
図６の例において、例えば、第１行目は、チケットＩＤ「ＴＩＤ１」の電子チケットデータは、会員ＩＤ「ｉｄｘ」の会員に譲渡されたことを示している。また、この第１行目の情報は、保存期限の項目に設定されている「Ａ月Ｂ日」まで保存され、その後、削除されることを示している。
【００４４】
電子チケット管理・流通サービスを利用するためのポータルサービスを提供する電子チケット流通ポータル事業者５０によって運用される電子チケット流通ポータル５１は、利用者端末２１、３１のWebブラウザに対し、電子チケットデータ流通サーバ１１にアクセスする為のユーザインタフェースとなるWebページを送信する機能を備える。利用者２０、３０は、電子チケット流通ポータル５１を介して、サービス会員の登録や、電子チケットデータの保管・譲渡などを行うことができる。
【００４５】
〔第１の実施の形態の動作説明〕
次に各図を参照して本実施の形態動作について詳細に説明する。
【００４６】
先ず、利用者２０が、電子チケット流通サービス事業者１０と電子チケット管理・流通サービスの利用契約を結ぶときの動作について説明する。
【００４７】
図７を参照すると、利用者２０は、自身の利用端末２１を使用して電子チケット流通ポータル５１にアクセスし、電子チケット管理・流通サービス会員登録フォームを取得する。その後、上記登録フォームに、氏名、連絡先、グループメンバーなどの必要事項を入力して利用契約手続きを行う（ステップＡ１）。
【００４８】
電子チケット流通ポータル５１は、利用者２０が登録フォームを用いて入力した氏名、連絡先、グループメンバーを含む会員登録情報を、電子チケット流通サーバ１１へ送信する（ステップＡ２）。
【００４９】
電子チケット流通サーバ１１は、会員登録情報を受信すると、利用者２０に対して会員ＩＤ及びパスワードを発行すると共に、会員登録情報に含まれている氏名、連絡先及びグループメンバーと、上記会員ＩＤ及びパスワードとを図４に示すように会員管理ＤＢ１４に登録する（ステップＡ３）。その後、電子チケット流通サーバ１１は、電子チケット管理ＤＢ１２上に利用者２０専用のデータ領域（電子チケットデータを保存するための領域）を確保すると共に、確保したデータ領域へのポインタを会員管理ＤＢ１４に登録されている利用者２０の会員情報に設定する。
【００５０】
なお、利用者３０が電子チケット流通サービス事業者１０と電子チケット管理・流通サービスの利用契約を結ぶときも同様の動作が行われる。
【００５１】
次に、利用者２０が、自身が購入した電子チケットを他者（利用者３０とする）に譲渡する場合の動作について説明する。なお、譲渡先の利用者３０も電子チケット管理・流通サービスの会員であり、その氏名、会員ＩＤは、会員管理ＤＢ１４に登録されている利用者２０の会員情報中のグループメンバーに設定されているとする。また、上記電子チケットは、利用者３０と一緒にコンサート等へ行くために、利用者２０が電子チケット販売・配布事業者４０から購入したものであるとする。
【００５２】
図８を参照すると、利用者２０は、譲渡したい電子チケットデータが記録されている電子チケット端末２２を利用者端末２１に接続する（ステップＢ１）。その後、利用者２０は、利用者端末２１を介して電子チケット流通ポータル５１にアクセスし、会員認証フォームに会員ＩＤとパスワードを入力する（ステップＢ２）。
【００５３】
電子チケット流通サーバ１１は、電子チケット流通ポータル５１を介して受け取った会員ＩＤとパスワードを認証し、認証結果を電子チケット流通ポータル５１に返す（ステップＢ３）。
【００５４】
電子チケット流通ポータル５１は、認証ＯＫの場合、利用者端末２１に会員別チケット管理ページを表示する。このページには、利用者が利用するサービスを選択するためのメニューが設けられている。本実施の形態では、このメニューを用いて、「電子チケットの会員に対する譲渡サービス」、「電子チケットの非会員に対する譲渡サービス」、「電子チケットの保管サービス」、「電子チケットの受信サービス」、「電子チケットの引出しサービス」、「会員情報の更新サービス」などを選択できるようになっている。
【００５５】
利用者２０は、譲渡先の利用者３０が、電子チケット管理・流通サービスの会員であるので、メニューの中から、「電子チケットの会員に対する譲渡サービス」を選択する（ステップＢ４）。
【００５６】
電子チケット流通サーバ１１は、利用者２０が、「電子チケットの会員に対する譲渡サービス」を選択したことを会員別電子チケット管理ページを介して認識すると、電子チケット管理ＤＢ１２上の利用者２０用データ領域に記録されている電子チケットデータの保管リスト（チケット名、サービス内容、管理ＩＤなどを含む）と、会員管理ＤＢ１４に記録されている利用者２０のグループメンバーリストとを電子チケット流通ポータル５１に送信すると共に、電子チケットデータの表示指示を送信する（ステップＢ５）。
【００５７】
これにより、電子チケット流通ポータル５１は、会員別電子チケット管理ページを介して、利用者端末２１に電子チケットデータの保管リストとグループメンバーリストとを表示すると共に、利用者端末２１に指示を出し、電子チケット端末２２に記録されている電子チケットデータのリストも会員別電子チケット管理ページ上に表示させる（ステップＢ６、Ｂ７）。
【００５８】
この表示を見た利用者２０は、電子チケット端末に記録されている電子チケットデータのリストの中から利用者３０に譲渡する電子チケットデータを選択する。これにより、利用者端末２１は、譲渡する電子チケットデータを含んだ保管依頼を、電子チケット流通ポータル５１を介して電子チケット流通サーバ１１へ送信する（ステップＢ８）。
【００５９】
電子チケット流通サーバ１１は、電子チケット流通ポータル５１を介して利用者端末２１からの保管依頼を受信すると、保管依頼に含まれている電子チケットデータ中の、チケット販売者情報によって特定される電子チケット販売・配布サーバ４１に対して、上記電子チケットデータのチケットＩＤを含んだ照会依頼を送る。電子チケット販売・配布サーバ４１は、上記照会依頼を受信すると、販売・配布履歴ＤＢ４２を検索し、上記照会依頼に含まれているチケットＩＤと同一のチケットＩＤが登録されているか否かを調べることにより、電子チケットデータの正当性をチェックする。そして、登録されている場合は照会ＯＫを、登録されていない場合は照会ＮＧを電子チケット流通サーバ１１に返す。電子チケット流通サーバ１１は、照会ＯＫの場合は次のステップＢ１０の処理を行い、照会ＮＧの場合はそのことを利用者端末に通知し、処理を終了する（ステップＢ９）。
【００６０】
ステップＢ９で照会ＯＫとなると、電子チケット流通サーバ１１は、利用者２０から保管依頼された電子チケットデータを一意に識別するための管理ＩＤを生成し、上記電子チケットデータと上記管理ＩＤとの対を、電子チケット管理ＤＢ１２上に確保している利用者２０専用のデータ領域に格納する（ステップＢ１０）。更に、電子チケット流通サーバ１１は、上記電子チケットデータ中の複製可否情報が、複製不可を示している場合は、利用者端末２１に対して上記電子チケットデータを特定する情報を含んだ無効指示を送り、チケット端末２２上の上記電子チケットデータを無効にする（ステップＢ１１）。
【００６１】
その後、電子チケット流通サーバ１１は、利用者２０のデータ領域に格納されている電子チケットデータの保管リストを電子チケット流通ポータル５１に送信する。電子チケット流通ポータル５１は、利用者端末２０に表示されている電子チケットデータの保管リストを更新する（ステップＢ１２）。利用者２０は、この表示を見ることにより、保管依頼した電子チケットデータの保管処理が完了したことを認識する。
【００６２】
その後、利用者は、会員別電子チケット管理ページ上に表示されている電子チケットデータの保管リストから、利用者３０へ譲渡する電子チケットデータを選択すると共に、グループメンバーリストから利用者３０を選択する。これにより、利用者端末２１は、選択された電子チケットデータの管理ＩＤと、利用者３０の会員ＩＤとを含んだ会員用譲渡依頼を送信する（ステップＢ１３）。この会員用譲渡依頼は、電子チケット流通ポータル５１を介して電子チケット流通サーバ１１へ送られる。
【００６３】
電子チケット流通サーバ１１は、譲渡する電子チケットデータの管理ＩＤと、譲渡先の利用者３０の会員ＩＤとを含んだ会員用譲渡依頼を受信すると、上記管理ＩＤに基づいて、電子チケット管理ＤＢ１２の利用者２０用のデータ領域から該当する電子チケットデータを取り出す。そして、取り出した電子チケットデータ中のチケットＩＤを電子チケット販売・配布サーバ４１へ送信し、上記電子チケットの正当性を照会する（ステップＢ１４；前述のステップＢ９と同様の処理）。なお、このステップＢ１４での照会処理は省略しても良い。
【００６４】
その後、電子チケット流通サーバ１１は、ステップＢ１４において、利用者２０用のデータ領域から取り出した電子チケットデータとその管理ＩＤとを、譲渡先の利用者３０用のデータ領域に格納する（ステップＢ１５）。
【００６５】
次いで、電子チケット流通サーバ１１は、流通履歴ＤＢ１２を検索し、上記電子チケットデータの管理ＩＤと同一の管理ＩＤを含んだ流通履歴データが登録されているか否かを調べる。そして、登録されていない場合は、上記管理ＩＤと、上記電子チケットデータ中のチケットＩＤと、被譲渡者（利用者３０）の会員ＩＤと、保存期限とを含んだ流通履歴データを流通履歴ＤＢ１３に追加登録する。これに対して、登録されている場合は、その流通履歴データ中に被譲渡者の項目に、被譲渡者の会員ＩＤを追加する（ステップＢ１６）。
【００６６】
その後、電子チケット流通サーバ１１は、例えば、電子メールを用いて、被譲渡者である利用者３０に対して、電子チケットが譲渡されたことを通知する（ステップＢ１７）。なお、利用者３０の電子メールアドレスは、利用者３０の会員ＩＤをキーにして会員管理ＤＢ１４を検索することにより求めることができる。また、本実施の形態では、電子チケット流通サーバ１１から被譲渡者である利用者３０へ電子チケットが譲渡されたことを通知するようにしたが、譲渡者である利用者２０が通知するようにしても良い。
【００６７】
利用者３０は、電子チケットが譲渡されたことが通知されると、図９のフローチャートに示すように、譲渡される電子チケットデータを記録する電子チケット端末３２を利用者端末３１に接続する（ステップＣ１）。次いで、利用者３０は、利用者端末３１を介して、電子チケット流通ポータル５１にアクセスし、会員認証フォームに会員ＩＤとパスワードを入力する（ステップＣ２）。
【００６８】
電子チケット流通サーバ１１は、電子チケット流通ポータル５１を介して受け取った会員ＩＤとパスワードを認証し、認証結果を電子チケット流通ポータル５１に返す（ステップＣ３）。
【００６９】
電子チケット流通ポータル５１は、認証ＯＫの場合、利用者端末３１に会員別チケット管理ページを表示する。利用者は、メニューの中から、「電子チケットの受信サービス」を選択する（ステップＣ４）。
【００７０】
電子チケット流通サーバ１１は、会員別電子チケット管理ページを介して、利用者３０が「電子チケットの受信サービス」を選択したことを認識すると、電子チケット管理ＤＢ１２の利用者３０用のデータ領域に記録されている電子チケットデータの保管リストを電子チケット流通ポータル５１に送信する。電子チケット流通ポータル５１は、会員別電子チケット管理ページを介して、利用者端末３１に電子チケットデータの保管リストを表示する（ステップＣ５、Ｃ６）。
【００７１】
利用者３０は、保管リストから取得したい電子チケットデータを選択する。これにより、利用者端末３１は、上記選択された電子チケットデータの管理ＩＤを含む受信依頼を送出する。この受信依頼は、電子チケット流通ポータル５１を介して電子チケット流通サーバ１１へ送られる(ステップＣ７)。
【００７２】
電子チケット流通サーバ１１は、利用者端末３１からの受信依頼を受け取ると、それに含まれている管理ＩＤによって特定される電子チケットデータを、電子チケット管理ＤＢ１２の利用者３０用のデータ領域から取り出す。そして、取り出した電子チケットデータ中のチケットＩＤを電子チケット販売・配布サーバ４１へ送信し、上記電子チケットデータの正当性を照会する（ステップＣ８；前述のステップＢ９と同様の処理）。なお、このステップＣ８での照会処理は、省略しても良い。
【００７３】
照会ＯＫの場合、電子チケット流通サーバ１１は、ステップＣ８で取り出した電子チケットデータを含む記録指示を利用者端末３１へ送る。これにより、利用者端末３１は、記録指示に含まれている電子チケットデータをチケット端末３２に記録する（ステップＣ９）。
【００７４】
その後、電子チケット流通サーバ１１は、上記電子チケットデータ中の複製可否情報が、複製不可を示している場合は、利用者３０用のデータ領域に格納されている上記電子チケットデータを削除する（ステップＣ１０）。更に、電子チケット流通サーバ１１は、流通履歴ＤＢ１３から上記電子チケットデータに関する流通履歴データを取り出し、電子チケット販売配布・サーバ４１へ送信する（ステップＣ１１）。
【００７５】
電子チケット販売・配布サーバ４１は、電子チケット流通サーバ１１から流通履歴データが送られてくると、それに従って、販売・配布履歴ＤＢ４２中の該当する販売・配布履歴データを更新する（ステップＣ１２）。即ち、流通履歴データ中のチケットＩＤと同一のチケットＩＤを有する販売・配布履歴データを更新対象にして、その販売・配布履歴データ中の被譲渡者を、流通履歴データ中の被譲渡者で置き換える処理を行う。以上が、電子チケットを電子チケット管理・流通サービスの会員に譲渡する時に行われる処理である。
【００７６】
次に、電子チケットを電子チケット管理・流通サービスの非会員に譲渡する場合の動作について説明する。
【００７７】
今、図１において、利用者２０、３０がそれぞれ電子チケット管理・流通サービスの会員、非会員であるとし、利用者２０が電子チケット販売・配布事業者４０から購入した電子チケットを非会員の利用者３０に譲渡するとする。
【００７８】
図１０を参照すると、利用者２０は、譲渡したい電子チケットデータが記録されている電子チケット端末２２を利用者端末２１に接続した後、利用者端末２１を介して電子チケット流通ポータル５１にアクセスし、会員認証フォームに会員ＩＤとパスワードを入力する（ステップＤ１、Ｄ２）。
【００７９】
電子チケット流通サーバ１１は、電子チケット流通ポータル５１を介して受け取った会員ＩＤとパスワードを認証し、認証結果を電子チケット流通ポータル５１に返す（ステップＤ３）。
【００８０】
電子チケット流通ポータル５１は、認証ＯＫの場合、利用者端末２１に会員別チケット管理ページを表示する。利用者は、譲渡先の利用者３０が非会員であるので、メニューの中から、「電子チケットの非会員に対する譲渡サービス」を選択する（ステップＤ４）。
【００８１】
電子チケット流通サーバ１１は、利用者２０が「電子チケットの非会員に対する譲渡サービス」を選択したことを認識すると、電子チケット管理ＤＢ１２上の利用者２０用データ領域に記録されている電子チケットデータの保管リストを電子チケット流通ポータル５１に送信すると共に、電子チケットデータの表示指示を送信する（ステップＤ５）。
【００８２】
これにより、電子チケット流通ポータル５１は、会員別電子チケット管理ページを介して、利用者端末２１に電子チケットデータの保管リストを表示すると共に、利用者端末２１に指示を出し、電子チケット端末２２に記録されている電子チケットデータのリストも会員別電子チケット管理ページ上に表示させる（ステップＤ６、Ｄ７）。
【００８３】
この表示を見た利用者２０は、電子チケット端末２２に記録されている電子チケットデータのリストの中から利用者３０に譲渡する電子チケットデータを選択する。これにより、利用者端末２１は、譲渡する電子チケットデータを含んだ保管依頼を、電子チケット流通ポータル５１を介して電子チケット流通サーバ１１へ送信する（ステップＤ８）。
【００８４】
電子チケット流通サーバ１１は、利用者端末２１からの保管依頼を受信すると、電子チケット販売・配布サーバ４１に、上記保管依頼に含まれている電子チケットの正当性を照会する（ステップＤ９）。
【００８５】
ステップＤ９で照会ＯＫとなると、電子チケット流通サーバ１１は、利用者２０からの電子チケットデータを一意に識別するための管理ＩＤを生成し、上記電子チケットデータと上記管理ＩＤとの対を、電子チケット管理ＤＢ１２上に確保している利用者２０専用のデータ領域に格納する（ステップＤ１０）。更に、電子チケット流通サーバ１１は、複製不可を示している場合は、利用者端末２１に対して上記電子チケットデータを特定する情報を含んだ無効指示を送り、電子チケット端末２２上の上記電子チケットデータを無効にする（ステップＤ１１）。
【００８６】
その後、電子チケット流通サーバ１１は、利用者２０のデータ領域に格納されている電子チケットデータの保管リストを電子チケット流通ポータル５１に送信する。電子チケット流通ポータル５１は、利用者端末２０に表示されている電子チケットデータの保管リストを更新する（ステップＤ１２）。
【００８７】
その後、利用者は、会員別電子チケット管理ページ上に表示されている電子チケットデータの保管リストから、非会員である利用者３０へ譲渡する電子チケットデータを選択する。これにより、利用者端末２１は、選択された電子チケットデータの管理ＩＤを含んだ非会員用譲渡依頼を送信する（ステップＤ１３）。
【００８８】
電子チケット流通サーバ１１は、譲渡する電子チケットデータの管理ＩＤを含んだ非会員用譲渡依頼を受信すると、上記管理ＩＤに基づいて、電子チケット管理ＤＢ１２の利用者２０用のデータ領域から該当する電子チケットデータを取り出す。そして、取り出した電子チケットデータの正当性を電子チケット販売・配布サーバ４１に照会する（ステップＤ１４）。なお、このステップＤ１４での照会処理は省略しても良い。
【００８９】
その後、電子チケット流通サーバ１１は、ステップＤ１４において利用者２０用のデータ領域から取り出した電子チケットデータとその管理ＩＤとを、電子チケット管理ＤＢ１２上の非会員用のデータ領域１２１格納する（ステップＤ１５）。更に、電子チケット流通サーバ１１は、一時ＩＤ及びそれに対応する一時パスワードを利用者端末２１へ送信すると共に、上記一時ＩＤ及び一時パスワードに対応付けて、ステップＤ１５においてデータ領域１２１に格納した管理ＩＤを管理しておく（ステップＤ１６）。
【００９０】
利用者２０は、電子メールなどを利用して、非会員である利用者３０に一時ＩＤ及び一時パスワードを知らせる(ステップＤ１７)。
【００９１】
利用者３０は、利用者２０から一時ＩＤ及び一時パスワードが通知されると、図１１のフローチャートに示すように、電子チケット端末３２を利用者端末３１に接続する（ステップＥ１）。次いで、利用者３０は、利用者端末３１を介して、電子チケット流通ポータル５１にアクセスし、会員認証フォームに，利用者２０から通知された一時ＩＤ及び一時パスワードを入力する（ステップＥ２）。
【００９２】
電子チケット流通サーバ１１は、電子チケット流通ポータル５１を介して受け取った一時ＩＤと一時パスワードを認証し、認証結果を電子チケット流通ポータル５１に返す（ステップＥ３）。
【００９３】
電子チケット流通ポータル５１は、認証ＯＫの場合、利用者端末３１に会員別チケット管理ページを表示する。利用者３０は、メニューの中から、「電子チケットの受信サービス」を選択する（ステップＥ４）。
【００９４】
電子チケット流通サーバ１１は、会員別電子チケット管理ページを介して、利用者３０が「電子チケットの受信サービス」を選択したことを認識すると、利用者３０が非会員用の一時ＩＤ及び一時パスワードを使用しているので、非会員用のデータ領域１２１から利用者３０へ譲渡する電子チケットデータを取り出し、その正当性を電子チケット販売・配布サーバ４１に照会する（ステップＥ５）。なお、利用者３０へ譲渡する電子チケットデータは、前述した図１０のステップＤ１６で、上記一時ＩＤ及び一時パスワードに対応付けて管理した管理ＩＤに基づいて特定できる。即ち、非会員用のデータ領域１２１に格納されている電子チケットデータの内の、上記管理ＩＤと対になっている電子チケットデータが、利用者３０へ送信する電子チケットデータである。
【００９５】
そして、照会ＯＫの場合は、電子チケット流通サーバ１１は、ステップＥ５で取り出した電子チケットデータを利用者端末３１を介して電子チケット端末３２に記録し、その後、非会員用のデータ領域１２１から該当する電子チケットデータを削除する（ステップＥ６，Ｅ７）。
【００９６】
次に、チケット端末の紛失などによる電子チケットデータの消失を防ぐために、電子チケットデータを電子チケット流通サーバ１１に保管しておく場合の動作について説明する。
【００９７】
図１２を参照すると、利用者３０は、自身の電子チケット端末３２に記録されている電子チケットデータを電子チケット流通サーバ１１に保管する場合、電子チケット端末３２を利用者端末３１に接続する（ステップＦ１）。次いで、利用者３０は、利用者端末３１を介して、電子チケット流通ポータル５１にアクセスし、会員認証フォームに会員ＩＤとパスワードを入力する（ステップＦ２）。
【００９８】
電子チケット流通サーバ１１は、電子チケット流通ポータル５１を介して受け取った会員ＩＤとパスワードを認証し、認証結果を電子チケット流通ポータル５１に返す（ステップＦ３）。
【００９９】
電子チケット流通ポータル５１は、認証ＯＫの場合、利用者端末３１に会員別チケット管理ページを表示する。利用者は、メニューの中から、「電子チケットの保管サービス」を選択する（ステップＦ４）。
【０１００】
電子チケット流通サーバ１１は、会員別電子チケット管理ページを介して、利用者３０が「電子チケットの保管サービス」を選択したことを認識すると、電子チケットデータの表示指示を送信する（ステップＦ５）。この表示指示は、電子チケット流通ポータル５１を介して利用者端末３１へ送られる。
【０１０１】
これにより、利用者端末３１は電子チケット端末３２に記録されている電子チケットデータを表示する（ステップＦ６、Ｆ７）。利用者は、表示されている電子チケットデータの中から、電子チケット流通サーバ１１上に保管しておきたい電子チケットデータを選択する。これにより、利用者端末３１は、選択された電子チケットデータを含む保管依頼を電子チケット流通サーバ１１へ送る（ステップＦ８）。
【０１０２】
電子チケット流通サーバ１１は、利用者端末３１からの保管依頼を受信すると、それに含まれている電子チケットデータの正当性を電子チケット販売・配布サーバ４１に照会する（ステップＦ９）。そして、照会ＯＫの場合は、上記保管依頼に含まれている電子チケットデータに管理ＩＤを付加し、電子チケット管理ＤＢ１２の利用者３０用のデータ領域に格納する（ステップＦ１０）。
【０１０３】
次に、上述したようにして電子チケット流通サーバ１１上に保管した電子チケットデータを利用する場合の動作について説明する。
【０１０４】
利用者３０は、電子チケット流通サーバ１１に保管してある電子チケットデータを利用する場合、図１３のフローチャートに示すように、電子チケットデータを記録する電子チケット端末３２を利用者端末３１に接続する（ステップＧ１）。次いで、利用者３０は、利用者端末３１を介して、電子チケット流通ポータル５１にアクセスし、会員認証フォームに会員ＩＤとパスワードを入力する（ステップＧ２）。
【０１０５】
電子チケット流通サーバ１１は、電子チケット流通ポータル５１を介して受け取った会員ＩＤとパスワードを認証し、認証結果を電子チケット流通ポータル５１へ返す（ステップＧ３）。これにより、電子チケット流通ポータル５１は、会員別電子チケット管理ページを利用者端末３１に表示する。利用者３０は、メニューの中から「電子チケットデータの引出しサービス」を選択する（ステップＧ４）。
【０１０６】
電子チケット流通サーバ１１は、会員別電子チケット管理ページを介して「電子チケットデータの引出しサービス」が選択されたことを認識すると、電子チケット管理ＤＢ１２の利用者３０用データ領域に格納されている電子チケットデータの保管リストを送信する（ステップＧ５）。この保管リストは、電子チケット流通ポータル５１を介して利用者端末３１へ送られ、表示される（ステップＧ６）。その際、利用可能期間の終了日が近い（例えば、期限の１週間前の）電子チケットデータを強調表示する。なお、ステップＧ６以外でも、保管リストを表示する時は、利用可能期間を考慮した表示を行っても良い。この表示を見た利用者３０は、保管リストの中から利用したい電子チケットデータを選択する。これにより、利用者端末３１は、上記選択された電子チケットデータの管理ＩＤを含む引出し要求を送信する（ステップＧ７）。
【０１０７】
電子チケット流通サーバ１１は、電子チケット流通ポータル５１を介して利用者端末３１からの引出し要求を受信すると、利用者３０のデータ領域から該当する電子チケットデータを取り出し、利用者端末３１を介して電子チケット端末３２に書き込む（ステップＧ８）。
【０１０８】
次に、利用者が、会員管理ＤＢ１４に登録されている自身の会員情報を更新する場合の動作について説明する。
【０１０９】
図１４を参照すると、利用者３０は、会員管理ＤＢ１４に登録されている自身の会員情報を更新する場合、利用者端末３１を介して、電子チケット流通ポータル５１にアクセスし、会員認証フォームに会員ＩＤとパスワードを入力する（ステップＨ１）。
【０１１０】
電子チケット流通サーバ１１は、電子チケット流通ポータル５１を介して受け取った会員ＩＤとパスワードを認証し、認証結果を電子チケット流通ポータル５１に返す（ステップＨ２）。
【０１１１】
電子チケット流通ポータル５１は、認証ＯＫの場合、利用者端末３１に会員別電子チケット管理ページを表示する。利用者は、メニューの中から、「会員情報の更新サービス」を選択する（ステップＨ３）。
【０１１２】
電子チケット流通サーバ１１は、会員別電子チケット管理ページを介して、利用者３０が「会員情報の更新サービス」を選択したことを認識すると、会員管理ＤＢ１４に格納されている利用者３０の会員情報を電子チケット流通ポータル５１に送信する。電子チケット流通ポータル５１は、会員別電子チケット管理ページを介して、利用者端末３１に現時点における利用者３０の会員情報を表示する（ステップＨ４、Ｈ５）。
【０１１３】
利用者３０は、キーボード（図示せず）等を用いて表示されている会員情報を更新し（例えば、連絡先の更新、グループメンバーの追加など）、更新完了後、会員情報更新依頼の送信を指示する。これにより、利用者端末３１は、更新後の会員情報を含む会員情報更新依頼を送信する（ステップＨ６）。
【０１１４】
電子チケット流通サーバ１１は、電子チケット流通ポータル５１を介して会員情報更新依頼を受信すると、それに含まれている会員情報に従って、会員管理ＤＢ１４に登録されている利用者３０の会員情報を更新する（ステップＨ７）。
【０１１５】
〔第１の実施の形態の効果〕
第１の効果は、偽造された電子チケットデータが譲渡、転売されることのない、信頼性の高い電子チケット管理・流通システムを提供できることである。その理由は、電子チケットデータのやりとりの際に、電子チケット流通サーバが常にチケット販売・配布サーバに、電子チケットデータの正当性を照会するようにしているからである。
【０１１６】
第２の効果は、電子チケット端末の紛失などによる電子チケットデータの消失を防ぐことができることである。その理由は、電子チケットデータをインターネット上で保管できるようにしているからである。
【０１１７】
第３の効果は、電子チケット販売・配布事業者が、販売・配布履歴ＤＢ４２の内容に基づいて、電子チケットの最終所有者の情報を取得できるということである。電子チケットの最終所有者の情報を取得することにより、例えば、詳細なマーケティングを行ったり、急なイベント中止などによる払い戻し作業を容易に行うことが可能になる。ここで、販売・配布履歴ＤＢ４２の項目「被譲渡者」に会員ＩＤだけでなく、氏名や連絡先も設定しておけば、販売・配布履歴ＤＢ４２を参照するだけで、電子チケットの最終所有者の情報を取得することができる。また、項目「被譲渡者」に会員ＩＤだけしか設定されていない場合は、電子チケット流通サーバ１１に、項目「被譲渡者」に設定されている会員ＩＤを渡し、その会員ＩＤに対応する会員の氏名や連絡先を要求することにより、電子チケットの最終所有者の情報を取得することができる。なお、電子チケット流通サーバ１１は、上記した要求が電子チケット販売・配布サーバ４１から渡された場合、それに含まれている会員ＩＤをキーにして会員管理ＤＢ１４を検索することにより、会員の氏名や連絡先を取得し、電子チケット販売・配布サーバ４１へ返却する。
【０１１８】
〔発明の他の実施の形態〕
次に、本発明の第２の実施の形態について詳細に説明する。
【０１１９】
本発明の第２の実施の形態は、譲渡者からＰＩＭデータによる被譲渡者の自動選択が依頼された場合、電子チケット流通サーバが、グループメンバー中のＰＩＭサービスを利用している会員の中から、電子チケットを利用する確度の高い会員（被譲渡候補会員）を自動的に選択し、選択した被譲渡候補会員を対象にして電子チケットデータの譲渡処理を行うことを特徴とする。ＰＩＭ（Personal Information Manager）サービスとは、利用者のスケジュール、アドレス帳、アクションリストなどを管理するサービスのことである。
【０１２０】
図１５は本実施の形態の構成例を示すブロック図であり、図１に示した第１の実施の形態との相違点は、ＰＩＭサービス事業者６０が運用するＰＩＭサーバ６１が追加されている点、電子チケット流通サーバ１１の代わりに電子チケット流通サーバ１１ａを備えている点、および会員管理ＤＢ１４の代わりに会員管理ＤＢ１４ａを備えている点である。
【０１２１】
ＰＩＭサービス事業者６０は電子チケット管理・流通サービス会員に対するＰＩＭサービスの提供者である。ＰＩＭサービス事業者６０が運用しているＰＩＭサーバ６１は、会員毎のＰＩＭデータを管理する機能を備える。
【０１２２】
電子チケット流通サーバ１１ａは、図１に示した電子チケット流通サーバ１１が備えている機能に加え、グループメンバー中のＰＩＭサービスを利用している会員の中から、譲渡対象となっている電子チケットを利用する確度の高い会員（被譲渡候補会員）をＰＩＭデータに基づいて自動的に選択し、被譲渡候補会員を対象にして電子チケットの譲渡処理を行う機能を有している。
【０１２３】
図１６は本実施の形態で使用する会員管理ＤＢ１４ａの内容例を示した図であり、会員情報に、項目「ＰＩＭ会員ＩＤ」、「ＰＩＭパスワード」が追加されている点が図４に示した会員管理ＤＢ１４と相違している。
【０１２４】
次に本実施の形態の動作について詳細に説明する。
【０１２５】
先ず、会員登録時の動作について、利用者３０が会員登録を行う場合を例に挙げて説明する。なお、ＰＩＭサービスを利用せずに、電子チケット管理・流通サービスのみを利用する利用者は、図７に示すフローチャートに従って会員登録を行っても良い。但し、図７のフローチャートに従って会員登録を行った利用者は、譲渡者がＰＩＭデータによる被譲渡者の自動選択を電子チケット流通サーバ１１ａに依頼した場合、選択対象外となる。
【０１２６】
図１７を参照すると、利用者３０は、自身の利用者端末３１を使用して電子チケット流通ポータル５１にアクセスし、電子チケット管理・流通サービス会員登録フォームに必要な情報を入力して利用契約手続きを行う。また、同時に、ＰＩＭサービスの利用契約手続きを行う（ステップＩ１）。
【０１２７】
電子チケット流通ポータル５１は、利用者３０の会員登録情報を、電子チケット流通サーバ１１ａへ送信する（ステップＩ２）。
【０１２８】
電子チケット流通サーバ１１ａは、ＰＩＭサーバ６１に被譲渡者３０のＰＩＭサービス用の会員登録情報を送信し、ＰＩＭサービスの会員ＩＤ（ＰＩＭ会員ＩＤ）及びパスワード（ＰＩＭパスワード）の発行を依頼する（ステップＩ３）。
【０１２９】
ＰＩＭサーバ６１は、利用者３０のＰＩＭ会員ＩＤ及びＰＩＭパスワードを発行し、電子チケット流通サーバ１１ａに返信する（ステップＩ４）。
【０１３０】
これにより、電子チケット流通サーバ１１ａは、利用者３０の会員情報を会員管理ＤＢ１４ａに登録する（ステップＩ５）。会員情報は、図１６に示すように、項目「電子チケット管理・流通サービスの会員ＩＤ」、「電子チケット管理・流通サービスのパスワード」、「氏名」、「連絡先」、「ポインタ」、「グループメンバー」、「ＰＩＭサービスのＰＩＭ会員ＩＤ」、「ＰＩＭパスワード」を含むが、この時点では、利用者３０用のデータ領域が確保されていないので、「ポインタ」には値が設定されていない。
【０１３１】
その後、電子チケット流通サーバ１１ａは、利用者端末３１へ電子チケット管理・流通サービスの会員ＩＤ及びパスワードを送信する（ステップＩ６）。更に、電子チケット流通サーバ１１ａは、利用者用のデータ領域を電子チケット管理ＤＢ１２上に確保し、確保したデータ領域を指し示すポインタを、利用者３０の会員情報中に設定する（ステップＩ７）。
【０１３２】
次に、利用者２０が、電子チケット流通サーバ１１ａに対して、ＰＩＭデータによる被譲渡者の自動選択を依頼して電子チケットデータを譲渡する場合の動作を説明する。
【０１３３】
図１８を参照すると、電子チケットの譲渡者である利用者２０の利用者端末２１、電子チケット流通ポータル５１、電子チケット流通サーバ１１ａおよび電子チケット販売・配布サーバ４１において、図８のステップＢ１〜Ｂ１１とほぼ同様の処理が行われる（ステップＪ１）。但し、本実施の形態では、会員別電子チケット管理ページに表示されるメニューには、第１の実施の形態で述べたメニュー項目に加え、「ＰＩＭデータによる譲渡先自動選択サービス」が含まれており、利用者２０はステップＢ４において、これを選択する。これ以外の動作は、第１の実施の形態と同様である。
【０１３４】
その後、電子チケット流通サーバ１１ａは、電子チケット管理ＤＢ１２上の利用者２０用のデータ領域に記録されている電子チケットデータの保管リストを電子チケット流通ポータル５１に送信する。電子チケット流通ポータル５１は、会員別電子チケット管理ページを介して、利用者端末２１に電子チケットデータの保管リストを表示する（ステップＪ２）。
【０１３５】
利用者２０は、電子チケットデータの保管リストが表示されると、その中から譲渡対象にする電子チケットデータを選択する。これにより、利用者端末２１は、選択された電子チケットデータの管理ＩＤを含んだ、ＰＩＭ利用譲渡依頼を送信する（ステップＪ３）。
【０１３６】
電子チケット流通サーバ１１ａは、電子チケット流通ポータル５１を介してＰＩＭ利用譲渡依頼を受信すると、会員管理ＤＢ１４ａを参照し、利用者２０の会員情報からグループメンバーを構成する各会員の会員ＩＤを取得する。その後、取得した各会員ＩＤをキーにして会員管理ＤＢ１４ａを検索し、ＰＩＭサービスにも加入している会員を探し出す。即ち、会員情報中の項目「ＰＩＭ会員ＩＤ」、「ＰＩＭパスワード」に値が設定されている会員を探し出す。そして、探し出した各会員のＰＩＭ会員ＩＤおよびＰＩＭパスワードと、譲渡対象になっている電子チケットの利用可能期間とをＰＩＭサーバ６１に渡し、利用可能期間やその前後のスケジュール（予定所在地なども含む）を照会する。これにより、ＰＩＭサーバ６１は、電子チケット流通サーバ１１ａから送られてきたＰＩＭ会員ＩＤによって特定される各会員の、電子チケットの利用可能期間やその前後のスケジュールを含んだＰＩＭデータを返却する（ステップＪ４）。
【０１３７】
電子チケット流通サーバ１１ａは、各会員のＰＩＭデータがＰＩＭサーバ６１から返却されると、返却された各会員のＰＩＭデータに基づき、譲渡対象になっている電子チケットを利用する確度が高い会員を、被譲渡候補会員として選択する。被譲渡候補会員の選択方法としては、例えば、電子チケットの有効期間においてスケジュール無しとなっている日数が多い会員を優先的に所定数（１人或いは複数）選択する方法や、予定所在地が電子チケットの利用場所に近い会員を優先的に所定数（１人或いは複数）選択する方法などを採用することができる。その後、選択した被譲渡候補会員に対して、利用者２０から譲渡された電子チケットデータがあることを、電子メールや電子チケット流通ポータル５１などを利用して通知する（ステップＪ５）。
【０１３８】
チケット譲渡の通知を受けた利用者３０は、自身の利用者端末３１を介して、電子チケット流通ポータル５１にアクセスし、会員認証フォームに会員ＩＤとパスワードを入力し、グループ別電子チケット管理ページにログインする（ステップＪ６）。
【０１３９】
電子チケット流通サーバ１１ａは、電子チケット流通ポータル５１を介して受け取った会員ＩＤとパスワードを認証する（ステップＪ７）。そして、認証ＯＫの場合は、被譲渡候補会員である利用者３０の利用者端末３１に対して、利用者２０から譲渡されている電子チケットデータのリスト送信する（ステップＪ８）。
【０１４０】
利用者３０は、リストが送られてくると、その中から欲しい電子チケットデータを選択する。これにより、利用者端末３１は、選択された電子チケットデータの管理ＩＤを含む送信依頼を電子チケット流通サーバ１１ａへ送る（ステップＪ９）。
【０１４１】
電子チケット流通サーバ１１ａは、送信依頼を受信すると、それに含まれている管理ＩＤによって特定される電子チケットデータの正当性を電子チケット販売・配布サーバ４１に照会する（ステップＪ１０）。
【０１４２】
そして、照会ＯＫの場合は、電子チケット管理ＤＢ１２上の利用者２０用のデータ領域から利用者３０のデータ領域へ、譲渡対象電子チケットデータを移動させる（ステップＪ１１）。なお、譲渡対象電子チケットデータが利用者２０のデータ領域に格納されていない場合は、既に他の利用者に譲渡されてしまったことを通知し、処理を終了する。
【０１４３】
その後、電子チケット流通サーバ１１ａは、流通履歴ＤＢ１３を更新する（ステップＪ１２）。そして、この後は、図９のステップＣ９〜Ｃ１２と同様の処理が行われ、利用者３０の利用者端末３１に電子チケットデータが記録されると共に、販売・配布履歴ＤＢ４２が更新される（ステップＪ１３）。なお、複数の利用者が、ステップＪ９の処理を行った場合、最初にステップＪ９の処理を行った利用者に電子チケットデータが譲渡されることになる。
【０１４４】
以上のように、本実施例の形態では、電子チケット保管・流通サービスをＰＩＭサービスと連携することにより、譲渡者に対して、チケット譲渡に適した被譲渡者を容易に探すためのサービスを提供できる。また、被譲渡者の対象をグループメンバーに限定せず、サービス会員全体に拡大することで、更にチケット譲渡成立率を向上させることができる。
【０１４５】
次に、本実施の形態の第３の実施の形態について詳細に説明する。本実施の形態は、譲渡者から位置情報による被譲渡者の自動選択が依頼された場合、電子チケット流通サーバが、グループメンバーの中から、電子チケットを利用する確度の高い被譲渡候補会員を、各会員の位置情報に基づいて自動的に選択し、選択した被譲渡候補会員を対象にして電子チケットデータの譲渡処理を行うことを特徴とする。
【０１４６】
図１９は本実施の形態の構成例を示すブロック図であり、図１に示した第１の実施の形態とは、各利用者２０、３０が位置情報取得機器２３、３３を備えている点、位置情報サービス事業者７０が運用する位置情報サーバ７１が追加されている点、電子チケット流通サーバ１１の代わりに電子チケット流通サーバ１１ｂを備えている点、及び会員管理ＤＢ１４の代わりに会員管理ＤＢ１４ｂを備えている点が相違している。
【０１４７】
位置情報取得機器２３、３３は、ＧＰＳやＰＨＳなどによる位置情報取得機能を備え、例えば、ＧＰＳ機能付き携帯電話や車載端末などにより実現される。
【０１４８】
位置情報サービス事業者７０は、第三者位置検索サービスの提供者である。第三者位置検索サービスとは、位置情報取得機器の所有者以外の第三者による位置情報検索が可能なサービスのことである。位置情報サーバ７１は、位置情報取得機器２３、３３の位置を検索し、その位置情報を送信する機能を備える。
【０１４９】
電子チケット流通サーバ１１ｂは、図１に示した電子チケット流通サーバ１１が備えている機能に加え、グループメンバーの中から、譲渡対象となっている電子チケットを利用する確度の高い会員（被譲渡候補会員）を位置情報に基づいて自動的に選択し、選択した被譲渡候補会員を対象にして電子チケットの譲渡処理を行う機能を有している。
【０１５０】
図２０は本実施の形態で使用する会員管理ＤＢ１４ｂの内容例を示した図であり、会員情報に、項目「位置情報取得機器番号」が追加されている点が図４に示した会員管理ＤＢ１４と相違している。
【０１５１】
次に本実施例の動作について説明する。
【０１５２】
先ず、会員登録時の動作について説明する。会員登録時の動作は、図７のステップＡ１〜Ａ４とほぼ同様であるが、利用者端末２１、３１から電子チケット流通サーバ１１ｂに送信する会員登録情報に、位置情報取得機器番号が含まれている点が相違している。なお、位置情報取得機器を有していない利用者（図示せず）も、電子チケット流通サービス事業者１０に対して会員登録を行うことはできるが（図７参照）、このような利用者は、譲渡者が電子チケット流通サーバ１１ｂに対して位置情報による被譲渡者の自動選択を依頼した場合、選択対象外になる。
【０１５３】
次に、利用者２０が、電子チケット流通サーバ１１ｂに対して、位置情報による被譲渡者の自動選択を依頼して電子チケットデータを譲渡する場合の動作を説明する。
【０１５４】
図２１を参照すると、電子チケットの譲渡者である利用者２０の利用者端末２１、電子チケット流通ポータル５１、電子チケット流通サーバ１１ｂおよび電子チケット販売・配布サーバ４１において、図８のステップＢ１〜Ｂ１１とほぼ同様の処理が行われる（ステップＫ１）。但し、本実施の形態では、会員別電子チケット管理ページに表示されるメニューには、第１の実施の形態で述べたメニュー項目に加え、「位置情報による譲渡先自動選択サービス」が含まれており、利用者２０はステップＢ４において、これを選択する。これ以外の動作は、第１の実施の形態と同様である。
【０１５５】
その後、電子チケット流通サーバ１１ｂは、電子チケット管理ＤＢ１２上の利用者２０用データ領域に記録されている電子チケットデータの保管リストを電子チケット流通ポータル５１に送信する。電子チケット流通ポータル５１は、会員別電子チケット管理ページを介して、利用者端末２１に電子チケットデータの保管リストを表示する（ステップＫ２）。
【０１５６】
利用者２０は、電子チケットデータの保管リストが表示されると、その中から譲渡対象にする電子チケットデータを選択する。これにより、利用者端末２１は、選択された電子チケットデータの管理ＩＤを含んだ、位置利用譲渡依頼を送信する（ステップＫ３）。
【０１５７】
電子チケット流通サーバ１１ｂは、電子チケット流通ポータル５１を介して位置利用譲渡依頼を受信すると、会員管理ＤＢ１４ｂを参照し、利用者２０の会員情報からグループメンバーを構成する各会員の会員ＩＤを取得する。その後、取得した各会員ＩＤをキーにして会員管理ＤＢ１４ｂを検索し、グループメンバーを構成している各会員それぞれの位置情報取得機器番号を取得する。そして、取得した各会員の位置情報取得機器番号を位置情報サーバ７１に渡し、上記各会員の位置情報を照会する（ステップＫ４）。これにより、位置情報サーバ７１は、電子チケット流通サーバ１１ｂから渡された位置情報取得機器番号に基づいて、上記各会員が所有している位置情報取得機器の現在位置を示す位置情報を取得し、取得した位置情報を電子チケット流通サーバ１１ｂに返す（ステップＫ５、Ｋ６）。
【０１５８】
電子チケット流通サーバ１１ｂは、各会員の位置情報が位置情報サーバ７１から返却されると、返却された各会員の位置情報に基づき、譲渡対象になっている電子チケットを利用する確度が高い会員を、被譲渡候補会員として選択する。被譲渡候補会員の選択方法としては、例えば、位置情報によって示される位置が電子チケットの利用場所に近い会員を所定数（１人或いは複数）優先的に選択する方法などを採用することができる。その後、選択した被譲渡候補会員に対して、利用者２０から譲渡された電子チケットデータがあることを、電子メールや電子チケット流通ポータル５１などを利用して通知する（ステップＫ７）。これ以降は、図１８のステップＪ６〜Ｊ１３と同様の処理が行われる。
【０１５９】
以上のように、本実施例の形態では、電子チケット保管・流通サービスを位置情報サービスと連携することにより、譲渡者は利用期限間近（イベント開始１時間前など）な電子チケットデータであっても、電子チケットの利用に適した被譲渡者に譲渡することができる。また、被譲渡者の対象をグループメンバーに限定せず、サービス会員全体に拡大することで、更にチケット譲渡成立率を向上させることができる。
【０１６０】
次に、本発明の第４の実施の形態について詳細に説明する。本実施の形態は、電子チケット管理・流通サービスに位置情報サービス及びＰＩＭサービスを連携したことを特徴とする。
【０１６１】
図２２は本実施の形態の構成例を示したブロック図であり、図１９に示した第３の実施の形態とは、ＰＩＭサービス事業者６０が運用するＰＩＭサーバ６０が追加されている点、電子チケット流通サーバ１１ｂの代わりに電子チケット流通サーバ１１ｃを備えている点、及び会員管理ＤＢ１４ｂの代わりに会員管理ＤＢ１４ｃを備えている点が相違している。
【０１６２】
電子チケット流通サーバ１１ｃは、図１９に示した電子チケット流通サーバ１１ｂが備えている機能に加え、グループメンバーの中から、譲渡対象となっている電子チケットを利用する確度の高い会員（被譲渡候補会員）を、位置情報とＰＩＭデータとに基づいて自動的に選択し、選択した被譲渡候補会員を対象にして電子チケットの譲渡処理を行う機能を有している。
【０１６３】
図２３は本実施の形態で使用する会員管理ＤＢ１４ｃの内容例を示した図であり、会員情報に、項目「ＰＩＭ会員ＩＤ」、「ＰＩＭパスワード」が追加されている点が図２０に示した会員管理ＤＢ１４ｂと相違している。
【０１６４】
次に本実施例の動作について説明する。
【０１６５】
先ず、会員登録時の動作について説明する。会員登録時の動作は、図１７のステップＩ１〜Ｉ７とほぼ同様である。
【０１６６】
次に、利用者２０が、電子チケット流通サーバ１１ｃに対して、位置情報及びＰＩＭデータによる被譲渡者の自動選択を依頼して電子チケットデータを譲渡する場合の動作を説明する。
【０１６７】
図２４を参照すると、電子チケットの譲渡者である利用者２０の利用者端末２１、電子チケット流通ポータル５１、電子チケット流通サーバ１１ｃおよび電子チケット販売・配布サーバ４１において、図８のステップＢ１〜Ｂ１１とほぼ同様の処理が行われる（ステップＬ１）。但し、本実施の形態では、会員別電子チケット管理ページに表示されるメニューには、第３の実施の形態で述べたメニュー項目に加え、「位置情報・ＰＩＭデータによる譲渡先自動選択サービス」が含まれており、利用者２０はステップＢ４において、これを選択する。これ以外の動作は、第１の実施の形態と同様である。
【０１６８】
その後、電子チケット流通サーバ１１ｃは、電子チケット管理ＤＢ１２上の利用者２０用データ領域に記録されている電子チケットデータの保管リストを電子チケット流通ポータル５１に送信する。電子チケット流通ポータル５１は、会員別電子チケット管理ページを介して、利用者端末２１に電子チケットデータの保管リストを表示する（ステップＬ２）。
【０１６９】
利用者２０は、電子チケットデータの保管リストが表示されると、その中から譲渡対象にする電子チケットデータを選択する。これにより、利用者端末２１は、選択された電子チケットデータの管理ＩＤを含んだ、位置・ＰＩＭ利用譲渡依頼を送信する（ステップＬ３）。
【０１７０】
これにより、電子チケット流通サーバ１１ｃは、位置情報サーバ７１に、グループメンバーに属する各会員の位置情報を照会し（ステップＬ４）、位置情報サーバ７１は、グループメンバーに属する各会員の位置情報を電子チケット流通サーバ１１ｃに返す（ステップＬ５、Ｌ６）。
【０１７１】
電子チケット流通サーバ１１ｃは、返却された各会員の位置情報に基づいて、電子チケットの利用期限までに利用場所に移動可能な会員を選択し、選択した各会員の、電子チケットの利用可能期間およびその前後のＰＩＭデータをＰＩＭサーバ６１に照会する（ステップＬ７）。
【０１７２】
その後、電子チケット流通サーバ１１ｃは、返却されたＰＩＭデータに基づいて、電子チケットの利用確度が高い会員（被譲渡候補会員）を選択する。この選択は、例えば、現時点から電子チケットの有効期限までの間にスケジュールに空きがある会員を選択する方法などを採用することができる。そして、選択した被譲渡候補会員に対して、利用者２０から譲渡された電子チケットデータがあることを、電子メールや電子チケット流通ポータル５１などを利用して通知する（ステップＬ８）。これ以降は、図１８のステップＪ６〜Ｊ１３と同様の処理が行われる（ステップＬ９）。
【０１７３】
以上のように、本実施例の形態では、位置情報サービスに加えてＰＩＭサービスを電子チケット保管・流通サービスに連携することにより、譲渡者はより利用確度の高い被譲渡者を探すことが可能になる。例えば、１時間後に開始予定のイベントチケットを、イベント会場の近くに居て、且つ、スケジュール的にイベントに参加可能な人に譲渡することができる。また、被譲渡者の対象をグループメンバーに限定せず、サービス会員全体に拡大することで、更にチケット譲渡成立率を向上させることができる。なお、上述した実施の形態においては、位置情報とスケジュールとを別々のサーバを用いて管理するようにしたが、１台のサーバ（スケジュール・位置管理サーバ）を用いて管理するようにしても良い。
【０１７４】
次に、本発明の第５の実施例について詳細に説明する。本実施の形態は、電子チケットデータの譲渡の際に、被譲渡者が譲渡者に対してチケット料金を支払うことを特徴とする。
【０１７５】
図２５は本実施の形態の構成例を示すブロック図であり、図１に示した第１の実施の形態とは、決算サービス事業者８０が運用する決済サーバ８１を備えている点、および電子チケット流通サーバ１１の代わりに電子チケット流通サーバ１１ｄを備えている点が相違している。決済サービス事業者８０は、クレジットカードなどによる決済サービスの提供者であり、決済サーバ８１は決済処理を行う機能を有する。
【０１７６】
次に本実施の形態の動作について説明する。本実施の形態と、第１の実施の形態とでは、有償で電子チケットを譲渡する場合の動作のみが異なるので、ここでは、有償で電子チケットを譲渡する場合の動作についてのみを説明する。
【０１７７】
今、例えば、利用者２０が利用者３０に有償で電子チケットを譲渡するとする。なお、譲渡先の利用者３０は利用者２０からどのような電子チケットが譲渡されるのかを認識しているとする。図２６を参照すると、先ず、譲渡者である利用者２０の利用者端末２１、電子チケット流通ポータル５１および電子チケット流通サーバ１１ｄにおいて、図８のステップＢ１〜Ｂ１１と同様の処理が行われる（ステップＭ１）。但し、本実施の形態では、会員別電子チケット管理ページに表示されるメニューには、第１の実施の形態で述べたメニュー項目に加え、「電子チケットの有償譲渡サービス」が含まれており、利用者２０はステップＢ４において、これを選択する。これ以外の動作は、第１の実施の形態と同様である。
【０１７８】
その後、電子チケット流通サーバ１１ｄは、電子チケット管理ＤＢ１２上の利用者２０用データ領域に記録されている電子チケットデータの保管リストを電子チケット流通ポータル５１に送信する。電子チケット流通ポータル５１は、会員別電子チケット管理ページを介して、利用者端末２１に電子チケットデータの保管リストを表示する（ステップＭ２）。
【０１７９】
その後、利用者は、会員別電子チケット管理ページを介して決済サービス事業者８０とサービス利用契約を結ぶ（Ｍ３）。更に、利用者２０は、表示されている電子チケットデータの保管リストの中から譲渡対象にする電子チケットデータを選択すると共に、表示されているグループメンバーリストの中から被譲渡者（利用者３０とする）を選択する。これにより、利用者端末２１は、選択された電子チケットデータの管理ＩＤおよび譲渡先の利用者３０の会員ＩＤを含んだ有償譲渡依頼を送信する（ステップＭ４）。
【０１８０】
電子チケット流通サーバ１１ｄは、電子チケット流通ポータル５１を介して有償譲渡依頼を受信すると、譲渡対象電子チケットデータの正当性を電子チケット販売・配布サーバ４１に照会する（ステップＭ５）。なお、ステップＭ５の処理は省略しても良い。
【０１８１】
そして、照会ＮＧの場合は、処理を終了する。これに対して、照会ＯＫの場合は、譲渡先の利用者３０の利用者端末３１に、電子メール等を用いて電子チケットが譲渡されたことを通知する（ステップＭ６）。
【０１８２】
この通知を受けた利用者３０は、利用者端末３１を介して、電子チケット流通ポータル５１にアクセスし、会員ＩＤとパスワードを入力する（ステップＭ７）。
【０１８３】
電子チケット流通サーバ１１ｄは、電子チケット流通ポータル５１を介して受け取った会員ＩＤとパスワードを認証し、認証ＯＫの場合は、譲渡対象となっている電子チケットがどのようなものであるのかを示す譲渡電子チケット情報を電子チケット流通ポータル５１に送信する。電子チケット流通ポータル５１は、電子チケット譲渡ページを介して、利用者端末３１に譲渡電子チケット情報を表示する（ステップＭ８）。
【０１８４】
利用者３０は、表示された譲渡電子チケット情報に基づいて、譲渡対象になっている電子チケットが、利用者２０から譲渡されることになっている電子チケットであるか否かをチェックする。そして、利用者２０から譲渡されることになっている電子チケットでない場合は、処理を終了する。これに対して、利用者から譲渡されることになっている電子チケットである場合には、電子チケット譲渡ページを介して、決済サービス事業者８０に対し、チケット代金を指定口座に支払う手続きを行う（ステップＭ９）。支払いは、クレジットカードや口座入金、電子マネーなどを利用する。
【０１８５】
決済サービス事業者８０の決済サーバ８１は、譲渡先の利用者３０から指定口座（決済サービス事業者８０が指定した口座）へ入金があったことを、電子チケット流通サーバ１１ｄに通知する（ステップＭ１０）。
【０１８６】
これにより、電子チケット流通サーバ１１ｄは、譲渡対象となっている電子チケットデータを、電子チケット管理ＤＢ１２上の利用者２０用データ領域から譲渡先の利用者３０用データ領域に移動する（ステップＭ１１）。
【０１８７】
電子チケット流通サーバ１１ｄは、決済サーバ８１に利用者３０への電子チケットデータの譲渡が完了したことを通知する（ステップＭ１２）。
【０１８８】
これにより、決済サーバ８１は、利用者３０によって指定口座へ振り込まれた料金から手数料を除いたものを、利用者２０の指定口座へ入金する（ステップＭ１３）。
【０１８９】
電子チケット流通サーバ１１ｄは、電子チケットデータの所有者が利用者２０から利用者３０に変更されたことを流通履歴ＤＢ１３に記録する（ステップＭ１４）。
【０１９０】
この後、譲渡先の利用者３０が自身の電子チケット端末３２に、利用者２０から譲渡された電子チケットデータを記録する場合には、例えば、図９のフローチャートに示す処理が行われる。
【０１９１】
以上のように、本実施例の形態では、電子チケット管理・流通サービスと決済サービス事業者が連携することにより、被譲渡者が電子チケットデータ内容を確認してからチケット代金を支払うことができる。また、被譲渡者のチケット代金の入金を確認してから、チケットデータの譲渡を行うため、譲渡者と被譲渡者の双方に対して安全な取引サービスを提供できる。また、電子チケットデータの受渡しの際に、チケット販売事業者に内容を照会することにより、複製データによる詐欺行為などを防ぐことができる。
【０１９２】
次に、本発明の第６の実施の形態について詳細に説明する。本実施の形態は、マーケットプレースで取引きが成立した電子チケットデータを、電子チケット保管・流通サービスを利用して受渡しすることを特徴とする。
【０１９３】
図２７は本実施の形態の構成例を示すブロック図であり、図１に示した第１の実施の形態とは、決済サービス事業者８０が運用する決済サーバ８１を備えている点、マーケットプレースポータル事業者９０が運用するマーケットプレースポータル９１を備えている点、および電子チケット流通サーバ１１の代わりに電子チケット流通サーバ１１ｅを備えている点が相違している。
【０１９４】
マーケットプレースポータル事業者９０は、オークションなどのマーケットプレースポータルサービスの提供者であり、決済サービス事業者８０は、クレジットカードなどによる決済サービスの提供者である。
【０１９５】
次に本実施例の動作について説明する。
【０１９６】
今、利用者２０がマーケットプレースにおける出品者、利用者３０が落札者であるとする。なお、利用者２０、３０は、電子チケット流通サービス事業者１０が提供している電子チケット管理・流通サービスの会員に既になっているとする。
【０１９７】
出品者である利用者２０は、マーケットプレースポータル９１を介して出品している電子チケットの落札通知を受けると、図１２のステップＦ１〜Ｆ１０に従って、電子チケット管理ＤＢ１２上の利用者２０用データ領域に、落札者に譲渡する電子チケットデータを格納する。なお、上記落札通知には、落札者である利用者３０の会員番号が含まれている。
【０１９８】
一方、落札者である利用者３０は、図２８のフローチャートに示すように、マーケットプレースポータル９１から落札通知を受けると（ステップＮ１）、マーケットプレースポータル９１にアクセスし、決済サービス事業者８０に対し、マーケットプレースポータル事業者９０から通知された落札価格を指定口座に支払う手続きを行う（ステップＮ２）。支払いは、クレジットカードや口座入金、電子マネーなどを利用する。
【０１９９】
決済サービスサーバ８１は、利用者３０から指定口座へ入金があったことを、出品者である利用者２０に通知する（ステップＮ３）。
【０２００】
利用者２０は、利用者端末２１を介して、電子チケット流通ポータル５１にアクセスし、会員認証フォームに会員ＩＤとパスワードを入力する（ステップＮ４）。
【０２０１】
電子チケット流通サーバ１１ｅは、電子チケット流通ポータル５１を介して受け取った会員ＩＤとパスワードを認証する（ステップＮ５）。
【０２０２】
そして、認証ＮＧの場合は、電子チケット流通サーバ１１ｅは、処理を終了する。これに対して、認証ＯＫの場合は、電子チケット管理ＤＢ１２の譲渡者２０用データ領域に記録されている電子チケットデータの保管リストを電子チケット流通ポータル５１に送信する（ステップＮ６）。電子チケット流通ポータル５１は、会員別電子チケット管理ページを介して、利用者端末２１に電子チケットデータの保管リストを表示する。
【０２０３】
利用者２０は、会員別電子チケット管理ページを介して、電子チケットデータの保管リストから譲渡する電子チケットデータを選択すると共に、落札者である利用者３０の会員ＩＤを入力する。これにより、利用者端末２１は、譲渡する電子チケットの管理ＩＤ及び落札者である利用者３０に会員ＩＤを含む譲渡依頼を電子チケット流通サーバ１１ｅへ送信する(ステップＮ７)。
【０２０４】
電子チケット流通サーバ１１ｅは、電子チケット販売・配布サーバ４１に落札された電子チケットデータの正当性を照会する（ステップＮ８）。
【０２０５】
電子チケット流通サーバ１１ｅは、照会ＮＧの場合は処理を終了する。これに対して、照会ＯＫの場合は、マーケットプレースポータル９１に、利用者２０から送られてきた電子チケットデータが、出品された電子チケットデータと同じチケット名・サービス内容であるかどうか照会する（ステップＮ９）。
【０２０６】
照会ＮＧの場合は、電子チケット流通サーバ１１ｅは処理を終了する。これに対して、照会ＯＫの場合は、落札者である利用者３０に対し、落札した電子チケットデータが送られてきたことを通知する（ステップＮ１０）。
【０２０７】
これにより、利用者３０は、利用者端末３１を介して、電子チケット流通ポータル５１にアクセスし、会員ＩＤとパスワードを入力する（ステップＮ１１）。
【０２０８】
電子チケット流通サーバ１１ｅは、電子チケット流通ポータル５１を介して受け取った会員ＩＤとパスワードを認証し、認証ＯＫの場合は、利用者２０から送られてきた電子チケットがどのようなものであるのかを示す譲渡電子チケット情報を電子チケット流通ポータル５１に送信する。電子チケット流通ポータル５１は、電子チケット譲渡ページを介して、利用者端末３１に譲渡電子チケット情報を表示する（ステップＮ１２）。
【０２０９】
利用者３０は、表示された譲渡電子チケット情報に基づいて、譲渡対象になっている電子チケットが、落札した電子チケットであるか否かをチェックする。そして、落札した電子チケットでない場合は、処理を終了する。これに対して、落札した電子チケットである場合は、電子チケット流通サーバ１１ｅに対して、電子チケットデータの受取依頼を送信する（ステップＮ１３）。
【０２１０】
これにより、電子チケット流通サーバ１１ｅは、利用者２０のデータ領域に格納されている落札者へ譲渡する電子チケットデータを、落札者である利用者３０のデータ領域に格納する（ステップＮ１４）。この後、電子チケット流通サーバ１１ｅは、電子チケットデータの譲渡が完了したことを決済サーバ８１に通知する（ステップＮ１５）。
【０２１１】
これにより、決済サーバ８１は、利用者３０によって指定口座へ振り込まれた料金から手数料を除いたものを、利用者２０の指定口座へ入金する（ステップＮ１６）。
【０２１２】
電子チケット流通サーバ１１ｅは、電子チケットデータの所有者が利用者２０から利用者３０に変更されたことを流通履歴ＤＢ１３に記録する（ステップＮ１７）。
【０２１３】
この後、落札者である利用者３０が自身の電子チケット端末３２に、落札した電子チケットデータを記録する場合には、例えば、図９のフローチャートに示す処理が行われる。
【０２１４】
以上のように、本実施例の形態では、電子チケット管理・流通サービスを利用することにより、マーケットプレース上で電子チケットデータの取り扱いが可能になる。また、決済サービス事業者と連携することにより、落札者が落札した電子チケットデータ内容を確認してから支払いをすることができ、安全な取引が可能になる。また、電子チケットデータの受渡しの際に、チケット販売事業者に内容を照会することにより、複製データによる詐欺行為などを防ぐことができる。
【図面の簡単な説明】
【０２１５】
【図１】本発明の第１の実施の形態の構成例を示すブロック図である。
【図２】電子チケット管理ＤＢ１２の構成例を示す図である。
【図３】電子チケット管理ＤＢ１２上のデータ領域１２−ｉの内容例を示す図である。
【図４】会員管理ＤＢ１４の内容例を示す図である。
【図５】流通履歴ＤＢ１３の内容例を示す図である。
【図６】販売・配布履歴ＤＢ４２の内容例を示す図である。
【図７】会員登録時の処理例を示すフローチャートである。
【図８】会員を対象にして電子チケットデータを譲渡する時の処理例を示すフローチャートである。
【図９】会員が譲渡された電子チケットデータを自身の電子チケット端末に記録するときの処理例を示すフローチャートである。
【図１０】非会員に対して電子チケットデータを譲渡する時の処理例を示すフローチャートである。
【図１１】非会員が譲渡された電子チケットデータを自身の電子チケット端末に記録する時の処理例を示すフローチャートである。
【図１２】電子チケット流通サーバ１１に電子チケットデータの保管を依頼する時の処理例を示すフローチャートである。
【図１３】電子チケット流通サーバ１１に保管してある電子チケットデータを引き出す時の処理例を示すフローチャートである。
【図１４】会員情報を変更する時の処理例を示すフローチャートである。
【図１５】本発明の第２の実施の形態の構成例を示すブロック図である。
【図１６】会員管理ＤＢ１４ａの内容例を示す図である。
【図１７】会員登録時の処理例を示すフローチャートである。
【図１８】電子チケットデータの譲渡先をＰＩＭデータに基づいて自動的に選択して譲渡する処理の処理例を示すフローチャートである。
【図１９】本発明の第３の実施の形態の構成例を示すブロック図である。
【図２０】会員管理ＤＢ１４ｂの内容例を示す図である。
【図２１】電子チケットデータの譲渡先を位置情報に基づいて自動的に選択して譲渡する処理の処理例を示すフローチャートである。
【図２２】本発明の第４の実施の形態の構成例を示すブロック図である。
【図２３】会員管理ＤＢ１４ｃの内容例を示す図である。
【図２４】電子チケットデータの譲渡先をＰＩＭデータ及び位置情報に基づいて選択して譲渡する処理の処理例を示すフローチャートである。
【図２５】本発明の第５の実施の形態の構成例を示すブロック図である。
【図２６】電子チケットデータの有償譲渡を行う時の処理例を示すフローチャートである。
【図２７】本発明にかかる第６の実施の形態の構成例を示すブロック図である。
【図２８】オークションで落札された電子チケットデータを扱う場合の処理例を示すフローチャートである。
【図２９】従来の技術を説明するためのブロック図である。
【符号の説明】
【０２１６】
１０…電子チケット流通サービス事業者
１１、１１ａ、１１ｂ、１１ｃ、１１ｄ、１１ｅ…電子チケット流通サーバ
１２…電子チケット管理ＤＢ
１３…流通履歴ＤＢ
１４、１４ａ、１４ｂ、１４ｃ…会員管理ＤＢ
２０、３０…利用者
２１、３１…利用者端末
２２、３２…電子チケット端末
２３、３３…位置情報取得機器
４０…電子チケット販売・配布事業者
４１…電子チケット販売・配布サーバ
４２…販売・配布履歴ＤＢ
５０…電子チケット流通ポータル事業者
５１…電子チケット流通ポータル
６０…ＰＩＭサービス事業者
６１…ＰＩＭサーバ
７０…位置情報サービス事業者
７１…位置情報サーバ
８０…決済サービス事業者
８１…決済サーバ
９０…マーケットプレースポータル事業者
９１…マーケットプレースポータル
１００…ネットワーク
【図１】
0004679048.tif 000002
【図２】
0004679048.tif 000003
【図３】
0004679048.tif 000004
【図４】
0004679048.tif 000005
【図５】
0004679048.tif 000006
【図６】
0004679048.tif 000007
【図７】
0004679048.tif 000008
【図８】
0004679048.tif 000009
【図９】
0004679048.tif 000010
【図１０】
0004679048.tif 000011
【図１１】
0004679048.tif 000012
【図１２】
0004679048.tif 000013
【図１３】
0004679048.tif 000014
【図１４】
0004679048.tif 000015
【図１５】
0004679048.tif 000016
【図１６】
0004679048.tif 000017
【図１７】
0004679048.tif 000018
【図１８】
0004679048.tif 000019
【図１９】
0004679048.tif 000020
【図２０】
0004679048.tif 000021
【図２１】
0004679048.tif 000022
【図２２】
0004679048.tif 000023
【図２３】
0004679048.tif 000024
【図２４】
0004679048.tif 000025
【図２５】
0004679048.tif 000026
【図２６】
0004679048.tif 000027
【図２７】
0004679048.tif 000028
【図２８】
0004679048.tif 000029
【図２９】
0004679048.tif 000030